(57)【要約】【課題】小型でありながらも、諸収差が良好に補正された、Ｆ２．４以上の明るさを持つ６枚構成の撮像レンズを提供すること。【解決手段】物体側より順に、第１レンズＬ１、第２レンズＬ２、第３レンズＬ３、第４レンズＬ４、及び第５レンズＬ５を備える正レンズ群と、負の第６レンズＬ６とを配置している。撮像レンズ１０は、条件式（１）を満足する。０．３≦ｆ／（２×ｆ１×Ｆｎｏ）＜１．０  …  （１）ただし、ｆは、撮像レンズ１０全系の焦点距離であり、ｆ１は第１レンズＬ１の焦点距離であり、Ｆｎｏは撮像レンズ１０全系のＦナンバーである。条件式（１）の上限を下回ることで、第１レンズＬ１で発生する球面収差を小さく抑えることができる。一方で、下限を上回ることで、第１レンズＬ１の屈折力を適度に維持することができ、撮像レンズ１０全長の小型化を達成することができる。また、より望ましくは下式の範囲がよい。【選択図】図１
2014115431.tif 000002
【特許請求の範囲】
【請求項１】
撮像素子に被写体像を結像させるための撮像レンズであって、
Ｆ２．４以上の明るさを有し、
物体側より順に、
正の屈折力を有し光軸近傍で物体側に凸面を向けた第１レンズと、
負の屈折力を有する第２レンズと、
第３レンズと、
第４レンズと、
第５レンズと、
光軸近傍で像側に凹面を向けた負の屈折力を有する第６レンズとからなり、
前記第６レンズの像側面は非球面形状であり、光軸との交点以外の位置に極値を持ち、
開口絞りが前記第１レンズの物体側面から前記第２レンズの像側面までの間に配置され、
以下の条件式を満足する、撮像レンズ。
０．３≦ｆ／（２×ｆ１×Ｆｎｏ）＜１．０    …    （１）
ただし、
ｆ：撮像レンズ全系の焦点距離
ｆ１：前記第１レンズの焦点距離
Ｆｎｏ：撮像レンズ全系のＦナンバー
【請求項２】
以下の条件式を満足する、請求項１に記載の撮像レンズ。
−１．１＜ｆ６／ｆ＜−０．１    …    （２）
ただし、
ｆ６：前記第６レンズの焦点距離
ｆ：撮像レンズ全系の焦点距離
【請求項３】
以下の条件式を満足する、請求項１及び２のいずれか一項に記載の撮像レンズ。
−１．８＜ｆ２／ｆ＜−０．１    …    （３）
ただし、
ｆ２：前記第２レンズの焦点距離
ｆ：撮像レンズ全系の焦点距離
【請求項４】
以下の条件式を満足する、請求項１から３までのいずれか一項に記載の撮像レンズ。
０．３＜ｒ１／ｆ＜０．６    …    （４）
ただし、
ｒ１：前記第１レンズの物体側面の曲率半径
ｆ：撮像レンズ全系の焦点距離
【請求項５】
以下の条件式を満足する、請求項１から４までのいずれか一項に記載の撮像レンズ。
０．０２＜ＴＨＩＬ２／ｆ＜０．１５    …    （５）
ただし、
ＴＨＩＬ２：前記第２レンズの光軸上の厚み
ｆ：撮像レンズ全系の焦点距離
【請求項６】
以下の条件式を満足する、請求項１から５までのいずれか一項に記載の撮像レンズ。
０．０３＜ＴＨＩＬ６／ｆ＜０．３０    …    （６）
ただし、
ＴＨＩＬ６：前記第６レンズの光軸上の厚み
ｆ：撮像レンズ全系の焦点距離
【請求項７】
第２レンズは像側に凹面を向けた形状を有する、請求項１から６までのいずれか一項に記載の撮像レンズ。
【請求項８】
以下の条件式を満足する、請求項１から７までのいずれか一項に記載の撮像レンズ。
０≦ν５−ν６＜５０    …    （７）
ただし、
ν５：前記第５レンズのアッベ数
ν６：前記第６レンズのアッベ数
【請求項９】
以下の条件式を満足する、請求項１から８までのいずれか一項に記載の撮像レンズ。
２０＜ν１−ν２＜７０    …    （８）
ただし、
ν１：前記第１レンズのアッベ数
ν２：前記第２レンズのアッベ数
【請求項１０】
前記第１レンズはメニスカス形状を有する、請求項１から９までのいずれか一項に記載の撮像レンズ。
【請求項１１】
実質的にパワーを持たないレンズをさらに有する、請求項１から１０までのいずれか一項に記載の撮像レンズ。
【請求項１２】
請求項１から１１までのいずれか一項に記載の撮像レンズと、前記撮像素子とを備える、撮像装置。
【請求項１３】
請求項１２に記載の撮像装置を備える、携帯端末。
【発明の詳細な説明】
【技術分野】
【０００１】
本発明は、撮像レンズ、並びに、これを備える撮像装置及び携帯端末に関する。
【背景技術】
【０００２】
近年、ＣＣＤ型イメージセンサやＣＭＯＳ型イメージセンサ等の撮像素子を用いた撮像装置が搭載された携帯端末の普及増大に伴い、より高画質の画像が得られるよう、高画素数を持つ撮像素子を組み込んだ撮像装置を搭載したものが市場に供給されるようになってきた。高画素数を持つ撮像素子は大型化をともなっていたが、近年、画素の高細化が進み、高画素数の撮像素子が小型化されるようになってきた。撮像素子の高性能化及び小型化が進むことにより、従来の撮像レンズの設計手法ではいわゆる望遠側に寄りやすくなる。しかしながら、撮像素子が高性能及び小型化が進んだからといって望遠側に寄ることは望ましくない。また、このような高細化された撮像素子に使用される撮像レンズに対しては高い解像力が要求されるが、解像力はＦナンバーにより限界があり、従来のようにＦ２．８程度のＦナンバーでは十分な性能が得られなくなってきた。そこで、高画素化、高細化、及び小型化された撮像素子に適した、Ｆ２．４以下の明るい撮像レンズが求められるようになってきている。このような用途の撮像レンズとして、４枚あるいは５枚構成のレンズに比べ大口径比化及び高性能化が可能である６枚構成の撮像レンズが提案されている。
【０００３】
６枚構成の撮像レンズとして、物体側より順に正の屈折力を有する第１レンズ、負の屈折力を有する第２レンズ、開口絞り、正の屈折力を有する第３レンズ、負の屈折力を有する第４レンズ、正の屈折力を有する第５レンズ、及び負の屈折力を有する第６レンズで構成された撮像レンズが開示されている（例えば特許文献１）。
【０００４】
しかしながら、上記特許文献１に記載の撮像レンズは、開口絞りが第２レンズの後方に配置されており、良好なテレセントリック特性を確保するためには撮像レンズ全長を大きくしなければならず、小型化には不向きである。
【０００５】
また、上記特許文献１と似たような構成で、物体側より順に正の屈折力を有する第１レンズ、負の屈折力を有する第２レンズ、負の屈折力を有する第３レンズ、正の屈折力を有する第４レンズ、正の屈折力を有する第５レンズ、及び負の屈折力を有する第６レンズで構成された撮像レンズが開示されている（例えば特許文献２）。
【０００６】
しかしながら、上記特許文献２に記載の撮像レンズは、収差補正が不十分で十分な小型化ができているとはいいがたい。また、ＦナンバーがＦ２．８と暗く、近年の高画素化及び高性能化への対応ができていない。
【先行技術文献】
【特許文献】
【０００７】
【特許文献１】特開２０１２−１５５２２３号公報
【特許文献２】米国公開２０１２／０１８８６５４号公報
【発明の概要】
【０００８】
本発明は、背景技術の問題点に鑑みてなされたものであり、従来タイプより小型でありながらも、諸収差が良好に補正された、Ｆ２．４以上の明るさを持つ６枚構成の撮像レンズを提供することを目的とする。
【０００９】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．００    …    （９）
ただし、
Ｌ：撮像レンズ全系の最も物体側のレンズ面から像側焦点までの光軸上の距離
２Ｙ：撮像素子の撮像面対角線長（固体撮像素子の矩形実効画素領域の対角線長）
ここで、像側焦点とは撮像レンズに光軸と平行な平行光線が入射した場合の像点をいう。
なお、撮像レンズの最も像側の面と像側焦点位置との間に、光学的ローパスフィルタ、赤外線カットフィルタ、または撮像素子パッケージのシールガラス等の平行平板が配置される場合には、平行平板部分は空気換算距離としたうえで上記Ｌの値を計算するものとする。
【００１０】
値Ｌ／２Ｙについては、より望ましくは、下式の範囲がよい。
Ｌ／２Ｙ＜０．９０    …    （９）'
【００１１】
上記目的を達成するため、本発明に係る撮像レンズは、撮像素子に被写体像を結像させるための撮像レンズであって、Ｆ２．４以上の明るさを有し、物体側より順に、正の屈折力を有し光軸近傍で物体側に凸面を向けた第１レンズと、負の屈折力を有する第２レンズと、第３レンズと、第４レンズと、第５レンズと、光軸近傍で像側に凹面を向けた負の屈折力を有する第６レンズとからなり、第６レンズの像側面は非球面形状であり、光軸との交点以外の位置に極値を持ち、開口絞りが第１レンズの物体側面から第２レンズの像側面までの間に配置され、以下の条件式を満足する。
０．３≦ｆ／（２×ｆ１×Ｆｎｏ）＜１．０    …    （１）
ただし、
ｆ：撮像レンズ全系の焦点距離
ｆ１：第１レンズの焦点距離
Ｆｎｏ：撮像レンズ全系のＦナンバー
【００１２】
小型で収差の良好に補正された撮像レンズを得るための、本発明に係る撮像レンズの基本構成は、物体側より順に、正の屈折力を有し光軸近傍で物体側に凸面を向けた第１レンズ、負の屈折力を有する第２レンズ、第３レンズ、第４レンズ、第５レンズ、及び光軸近傍で像側に凹面を向けた負の屈折力を有する第６レンズを備えるものとなっている。物体側より順に、第１レンズ、第２レンズ、第３レンズ、第４レンズ、及び第５レンズを備える正レンズ群と、負の第６レンズとを配置する、いわゆるテレフォトタイプのこのレンズ構成は、撮像レンズ全長の小型化には有利な構成である。
【００１３】
また、６枚構成のうち２枚以上を負レンズとすることで、発散作用を有する面を多くしてペッツバール和の補正を容易とし、画面周辺部まで良好な結像性能を確保した撮像レンズを得ることが可能となる。さらに、第１レンズの物体側面を凸面とすることで、撮像レンズ全系の合成主点位置をより物体側へ寄せることができ、撮像レンズ全長の小型化に有利となる。
【００１４】
また、最も像側に配置された第６レンズの像側面を非球面とすることで、画面周辺部での諸収差を良好に補正することができる。さらに、光軸との交点以外の位置に極値を持つ非球面形状とすることで、像側光束のテレセントリック特性が確保しやすくなる。ここで、「極値」とは、有効半径内でのレンズ曲面又はレンズ断面形状の曲線を考えた場合に、非球面頂点の接平面又は接線が光軸と垂直な平面又は線分となるような非球面上の線又は点のことである。
【００１５】
また、開口絞りを第１レンズの物体側面から第２レンズの像側面までの間に配置することで、撮像レンズ全長の小型化と良好なテレセントリック特性の両立を行うことができる。さらに、撮像レンズのＦナンバーをＦ２．４以下の明るさとすることで、近年の高性能化に対応できる撮像レンズを得ることができる。なお、以上において開口絞りを第１レンズの物体側面から第２レンズの像側面までの間に配置するとは、第１レンズの物体側面の光軸上の点と、第２レンズの像側面の光軸上の点とを基準としての配置を意味する。
【００１６】
条件式（１）は、高性能化に対応するため、Ｆナンバーを２．４以下の明るさとすることで対応し、さらに、６枚レンズ構成のうち第１レンズの焦点距離が撮像レンズ全体のFナンバーに影響を与える要因の一つであることに着目した結果、第１レンズの単体のＮＡを規定し、撮像レンズ全長の小型化と良好な収差補正を行うための条件式である。
【００１７】
まず最初に、条件式（１）の意味について説明する。撮像レンズのＦナンバーＦｎｏは、撮像レンズ全系の焦点距離をｆ、撮像レンズ全系の口径をＤとして、
Ｆｎｏ＝ｆ／Ｄ
で与えられる。ここで、撮像レンズ全系の焦点距離を１に規格化し、開口絞りが第１レンズ近傍に配置されていると仮定すると、第１レンズ単体のＦナンバーＦｎｏＬ１は、第１レンズの焦点距離をｆ１として、
ＦｎｏＬ１＝（ｆ１／ｆ）／（１／Ｆｎｏ）＝ｆ１／（ｆ×Ｆｎｏ）
となる。光学系の開口数ＮＡは、ＮＡ＝１／（２×Ｆｎｏ）で与えられるので、第１レンズ単体の開口数ＮＡＬ１は、
ＮＡＬ１＝１／（２×（ｆ１／（ｆ×Ｆｎｏ）））＝ｆ／（２×ｆ１×Ｆｎｏ）
となる。つまり、第１レンズ単体の開口数ＮＡＬ１は、近似値ｆ／（２×ｆ１×Ｆｎｏ）によって表される。
【００１８】
開口数ＮＡＬ１に関する上記条件式（１）の上限を下回ることで、第１レンズ単体のＮＡが大きくなりすぎず、第１レンズで発生する球面収差を小さく抑えることができる。一方で、上記条件式（１）の下限を上回ることで、第１レンズの屈折力を適度に維持することができ、撮像レンズ全長の小型化を達成することができる。
なお、値ｆ／（２×ｆ１×Ｆｎｏ）については、より望ましくは下式の範囲とする。
０．３≦ｆ／（２×ｆ１×Ｆｎｏ）＜０．８    …    （１）'
【００１９】
本発明の具体的な側面では、上記撮像レンズにおいて、以下の条件式（２）
−１．１＜ｆ６／ｆ＜−０．１    …    （２）
ただし、
ｆ６：第６レンズの焦点距離
ｆ：撮像レンズ全系の焦点距離
が満足される。
【００２０】
条件式（２）は第６レンズの焦点距離を適切に設定し、バックフォーカスの確保と撮像レンズ全長の短縮及び収差補正とを両立させるための条件式である。条件式（２）の値ｆ６／ｆが下限を上回ることで、第６レンズの負の屈折力が強くなりすぎず、バックフォーカスを確保しやすくなり、一方、条件式（２）の上限を下回ることで、第６レンズの負の屈折力を適度に維持することができるので、撮像レンズ全長を短縮することができ、かつ、軸上の色収差を良好に補正することができる。また、より望ましくは下式の範囲がよい。
なお、値Ｔｆ６／ｆについては、より望ましくは下式の範囲とする。
−１．０＜ｆ６／ｆ＜−０．２    …    （２）'
【００２１】
本発明の別の側面では、以下の条件式（３）
−１．８＜ｆ２／ｆ＜−０．１    …    （３）
ただし、
ｆ２：第２レンズの焦点距離
ｆ：撮像レンズ全系の焦点距離
が満足される。
【００２２】
条件式（３）は、第２レンズの焦点距離を適切に設定するための条件式である。値ｆ２／ｆが上限を下回ることで、第２レンズの負の屈折力が必要以上に強くなりすぎず、周辺部でのコマ収差や歪曲収差を小さくすることができる。一方、条件式（３）の下限を上回ることで、第２レンズの負の屈折力を適度に維持することができ、ペッツバール和の低減や像面湾曲の補正に効果がある。また、より望ましくは下式の範囲がよい。
なお、値Ｔｆ２／ｆについては、より望ましくは下式の範囲とする。
−１．７＜ｆ２／ｆ＜−０．２    …    （３）'
【００２３】
本発明のさらに別の側面では、以下の条件式（４）
０．３＜ｒ１／ｆ＜０．６    …    （４）
ただし、
ｒ１：第１レンズの物体側面の曲率半径
ｆ：撮像レンズ全系の焦点距離
が満足される。
【００２４】
条件式（４）は、第１レンズの物体側面の曲率半径を適切に設定し撮像レンズ全長の短縮化と収差補正を適切に達成するための条件式である。第１レンズは物体側面側に比較的強い曲率を持たせることを考慮すると、条件式（４）の値ｒ１／ｆが上限を下回ることで、第１レンズの物体側面の屈折力を適度に維持することができ、第１レンズと第２レンズの合成主点をより物体側へ配置することができ、撮像レンズ全長を短くすることができる。一方、下条件式（４）の限を上回ることで、第１レンズの物体側面の屈折力が必要以上に大きくなりすぎず、第１レンズで発生する、高次の球面収差やコマ収差を小さく抑えることができる。
なお、値ｒ１／ｆについては、より望ましくは下式の範囲とする。
０．３５＜ｒ１／ｆ＜０．５５    …    （４）'
が満足される。
【００２５】
本発明のさらに別の側面では、以下の条件式（５）
０．０２＜ＴＨＩＬ２／ｆ＜０．１５    …    （５）
ただし、
ＴＨＩＬ２：第２レンズの光軸上の厚み
ｆ：撮像レンズ全系の焦点距離
が満足される。
【００２６】
条件式（５）は第２レンズの光軸上の厚みを適切に設定するための条件式である。条件式（５）の値ＴＨＩＬ２／ｆが下限を上回ることで、第２レンズの厚みが薄くなりすぎず、成形性を損なわなない。一方、条件式（５）の上限を下回ることで、第２レンズの厚みが厚くなりすぎず、Ｌ２前後のレンズ間隔を確保しやすくなり、結果として撮像レンズ全長の短縮化を行うことができる。また、より望ましくは下式の範囲がよい。
なお、値ＴＨＩＬ２／ｆについては、より望ましくは下式の範囲とする。
０．０３＜ＴＨＩＬ２／ｆ＜０．１２    …    （５）'
【００２７】
本発明のさらに別の側面では、以下の条件式（６）
０．０３＜ＴＨＩＬ６／ｆ＜０．３０    …    （６）
ただし、
ＴＨＩＬ６：第６レンズの光軸上の厚み
ｆ：撮像レンズ全系の焦点距離
が満足される。
【００２８】
条件式（６）は、第６レンズの光軸上の厚みを適切に設定するための条件式である。条件式（６）の値ＴＨＩＬ６／ｆが下限を上回ることで、第６レンズの厚みが薄くなりすぎず、成形性を損なわなない。一方、条件式（６）の上限を下回ることで、第６レンズの厚みが厚くなりすぎず、バックフォーカスを確保しやすくなる。また、より望ましくは下式の範囲がよい。
０．０５≦ＴＨＩＬ６／ｆ＜０．２５    …    （６）'又は
０．１０＜ＴＨＩＬ６／ｆ＜０．３０    …    （６）"
或いは、下式の範囲とすることもできる。
０．１５＜ＴＨＩＬ６／ｆ＜０．２５    …    （６−２）
【００２９】
本発明のさらに別の側面では、第２レンズが像側に凹面を向けた形状を有する。第２レンズの像側面を凹面とすることで、比較的通過光線高さの高い第２レンズで強い発散作用を持たせることができるため、像面湾曲や歪曲収差を良好に補正することができるようになる。
【００３０】
本発明のさらに別の側面では、以下の条件式（７）
０≦ν５−ν６＜５０    …    （７）
ただし、
ν５：第５レンズのアッベ数
ν６：第６レンズのアッベ数
が満足される。
【００３１】
条件式（７）は、撮像レンズ全系の色収差を良好に補正するための条件式である。条件式（７）の値ν５−ν６が下限を上回ることで、軸上色収差や倍率色収差などの色収差をバランス良く補正することができる。一方、条件式（７）の上限を下回ることで、入手しやすい硝材で構成することができる。
なお、値ν５−ν６については、より望ましくは下式の範囲とする。
０≦ν５−ν６＜４５    …    （７）'
【００３２】
本発明のさらに別の側面では、以下の条件式（８）
２０＜ν１−ν２＜７０    …    （８）
ただし、
ν１：第１レンズのアッベ数
ν２：第２レンズのアッベ数
が満足される。
【００３３】
条件式（８）は、撮像レンズ全系の色収差を良好に補正するための条件式である。条件式（８）の値ν１−ν２が下限を上回ることで、軸上色収差や倍率色収差などの色収差をバランス良く補正することができる。一方、条件式（８）の上限を下回ることで、入手しやすい硝材で構成することができる。
なお、値ν１−ν２については、より望ましくは下式の範囲とする。
２５＜ν１−ν２＜６５    …    （８）'
【００３４】
本発明のさらに別の側面では、第１レンズはメニスカス形状を有する。このように、第１レンズをメニスカス形状とすることで、撮像レンズ全系の合成主点位置をより物体側へ寄せることができるようになるため、撮像レンズ全長を短縮することができるようになる。
【００３５】
本発明のさらに別の側面では、実質的にパワーを持たないレンズをさらに有する。
【００３６】
上記目的を達成するため、本発明に係る撮像装置は、上述の撮像レンズと、撮像素子とを備える。本発明の撮像レンズを用いることで、Ｆ２．４以上の明るさを持ち小型で諸収差が良好に補正された撮像装置を得ることができる。
【００３７】
上記目的を達成するため、本発明に係る携帯端末は、上述のようにＦ２．４以上の明るさを持ち小型で諸収差が良好に補正された撮像装置を備える。
【図面の簡単な説明】
【００３８】
【図１】本発明の一実施形態の撮像レンズを備える撮像装置を説明する図である。
【図２】鏡筒部内に保持された撮像レンズ等の状態を説明する断面図である。
【図３】図１の撮像装置を備える携帯通信端末を説明するブロック図である。
【図４】（Ａ）及び（Ｂ）は、それぞれ携帯通信端末の表面側及び裏面側の斜視図である。
【図５】実施例１の撮像レンズの断面図である
【図６】（Ａ）〜（Ｃ）は、実施例１の撮像レンズの収差図である。
【図７】実施例２の撮像レンズの断面図である。
【図８】（Ａ）〜（Ｃ）は、実施例２の撮像レンズの収差図である。
【図９】実施例３の撮像レンズの断面図である。
【図１０】（Ａ）〜（Ｃ）は、実施例３の撮像レンズの収差図である。
【図１１】実施例４の撮像レンズの断面図である。
【図１２】（Ａ）〜（Ｃ）は、実施例４の撮像レンズの収差図である。
【図１３】実施例５の撮像レンズの断面図である
【図１４】（Ａ）〜（Ｃ）は、実施例５の撮像レンズの収差図である。
【図１５】実施例６の撮像レンズの断面図である。
【図１６】（Ａ）〜（Ｃ）は、実施例６の撮像レンズの収差図である。
【図１７】実施例７の撮像レンズの断面図である。
【図１８】（Ａ）〜（Ｃ）は、実施例７の撮像レンズの収差図である。
【図１９】実施例８の撮像レンズの断面図である。
【図２０】（Ａ）〜（Ｃ）は、実施例８の撮像レンズの収差図である。
【図２１】実施例９の撮像レンズの断面図である。
【図２２】（Ａ）〜（Ｃ）は、実施例９の撮像レンズの収差図である。
【図２３】実施例１０の撮像レンズの断面図である。
【図２４】（Ａ）〜（Ｃ）は、実施例１０の撮像レンズの収差図である。
【図２５】実施例１１の撮像レンズの断面図である。
【図２６】（Ａ）〜（Ｃ）は、実施例１１の撮像レンズの収差図である。
【図２７】実施例１２の撮像レンズの断面図である。
【図２８】（Ａ）〜（Ｃ）は、実施例１２の撮像レンズの収差図である。
【図２９】実施例１３の撮像レンズの断面図である。
【図３０】（Ａ）〜（Ｃ）は、実施例１３の撮像レンズの収差図である。
【発明を実施するための形態】
【００３９】
以下、図１等を参照して、本発明の一実施形態である撮像レンズについて説明する。なお、図１で例示した撮像レンズ１０は、後述する実施例１の撮像レンズ１１と同一の構成となっている。
【００４０】
図１は、本発明の一実施形態である撮像レンズを備えるカメラモジュールを説明する断面図である。
【００４１】
カメラモジュール５０は、被写体像を形成する撮像レンズ１０と、撮像レンズ１０によって形成された被写体像を検出する撮像素子５１と、この撮像素子５１を背後から保持するとともに配線等を有する配線基板５２と、撮像レンズ１０等を保持するとともに物体側からの光束を入射させる開口部ＯＰを有する鏡筒部５４とを備える。撮像レンズ１０は、被写体像を撮像素子５１の像面又は撮像面（被投影面）Ｉに結像させる機能を有する。このカメラモジュール５０は、後述する撮像装置に組み込まれて使用されるが、単独でも撮像装置と呼ぶものとする。
【００４２】
撮像レンズ１０は、物体側から順に、第１レンズＬ１と、第２レンズＬ２と、第３レンズＬ３と、第４レンズＬ４と、第５レンズＬ５と、第６レンズＬ６とを備える。開口絞りＳは、第１レンズＬ１の物体側面Ｓ１１から第２レンズＬ２の像側面Ｓ２２までの間に配置されている。この撮像レンズ１０は、小型であり、その尺度として、以下の式（１２）を満たすレベルの小型化を目指している。
Ｌ／２Ｙ＜１．００    …    （９）
ここで、Ｌは撮像レンズ１０全系の最も物体側のレンズ面Ｓ１１から像側焦点までの光軸上の距離であり、２Ｙは撮像素子５１の撮像面対角線長（撮像素子５１の矩形実効画素領域の対角線長）であり、像側焦点とは撮像レンズ１０に光軸ＡＸと平行な平行光線が入射した場合の像点をいう。この範囲を満たすことで、カメラモジュール５０全体の小型軽量化が可能となる。
【００４３】
なお、撮像レンズ１０の最も像側の面Ｓ５２と像側焦点位置との間に、光学的ローパスフィルタ、赤外線カットフィルタ、または撮像素子パッケージのシールガラス等の平行平板Ｆが配置される場合には、平行平板Ｆ部分は空気換算距離としたうえで上記Ｌの値を計算するものとする。また、より望ましくは下式の範囲とする。
Ｌ／２Ｙ＜０．９０    …    （９）'
【００４４】
撮像素子５１は、固体撮像素子からなるセンサーチップである。撮像素子５１の光電変換部５１ａは、撮像素子５１は、ＣＣＤ（電荷結合素子）やＣＭＯＳ（相補型金属酸化物半導体）からなり、入射光をＲＧＢ毎に光電変換し、そのアナログ信号を出力する。受光部としての光電変換部５１ａの表面は、像面又は撮像面（被投影面）Ｉとなっている。
【００４５】
配線基板５２は、撮像素子５１を他の部材（例えば鏡筒部５４）に対してアライメントして固定する役割を有する。配線基板５２は、外部回路から撮像素子５１や駆動機構５５ａを駆動するための電圧や信号の供給を受けたり、また、検出信号を上記外部回路へ出力したりすることを可能としている。
【００４６】
撮像素子５１の撮像レンズ１０側には、不図示のホルダー部材によって、平行平板Ｆが撮像素子５１等を覆うように配置・固定されている。
【００４７】
鏡筒部５４は、撮像レンズ１０を収納し保持している。鏡筒部５４は、撮像レンズ１０を構成するレンズＬ１〜Ｌ５のうちいずれか１つ以上のレンズを光軸ＡＸに沿って移動させることにより、撮像レンズ１０の合焦の動作を可能にするため、例えば駆動機構５５ａを有している。駆動機構５５ａは、特定のレンズを光軸ＡＸに沿って往復移動させる。駆動機構５５ａは、例えばボイスコイルモーターとガイドとを備える。なお、駆動機構５５ａをボイスコイルモーター等の代わりにステッピングモーター等で構成することができる。
【００４８】
図２は、鏡筒部５４内に保持された撮像レンズ１０等の状態を説明する断面図である。撮像レンズ１０を構成する第１〜第６レンズＬ１〜Ｌ６は、支持用のフランジ部３９をそれぞれ有しており、フランジ部３９を介して隣接するレンズと接合されている。これらのレンズＬ１〜Ｌ６の間には、フランジ部３９に挟まれて遮光板３１，３２，３３，３４，３５が配置されている。このうちいずれか１つの遮光板３１は、撮像レンズ１０の明るさを規定する開口絞りＳとなっている。開口絞りＳ以外の遮光板３２，３３，３４，３５は、迷光の発生を防止するためのものである。
【００４９】
次に、図３、４（Ａ）、及び４（Ｂ）を参照して、図１に例示されるカメラモジュール５０を搭載した携帯電話機その他の携帯通信端末３００の一例について説明する。
【００５０】
携帯通信端末３００は、スマートフォン型の携帯通信端末又は携帯端末であり、カメラモジュール５０を有する撮像装置１００と、各部を統括的に制御するとともに各処理に応じたプログラムを実行する制御部（ＣＰＵ）３１０と、通信に関連するデータ、撮像した映像等を表示するとともにユーザーの操作を受け付けるタッチパネルである表示操作部３２０と、電源スイッチ等を含む操作部３３０と、アンテナ３４１を介して外部サーバ等との間の各種情報通信を実現するための無線通信部３４０と、携帯通信端末（携帯端末）３００のシステムプログラムや各種処理プログラム及び端末ＩＤ等の必要な諸データを記憶している記憶部（ＲＯＭ）３６０と、制御部３１０によって実行される各種処理プログラムやデータ、処理データ、若しくは撮像装置１００による撮像データ等を一時的に格納する作業領域として用いられる一時記憶部（ＲＡＭ）３７０とを備えている。
【００５１】
撮像装置１００は、既に説明したカメラモジュール５０のほかに、制御部１０３、光学系駆動部１０５、撮像素子駆動部１０７、画像メモリー１０８等を備える。
【００５２】
制御部１０３は、撮像装置１００の各部を制御する。制御部１０３は、ＣＰＵ（Central Processing Unit）、ＲＡＭ（Random Access Memory）、ＲＯＭ（Read Only Memory）等を含み、ＲＯＭから読み出されてＲＡＭに展開された各種プログラムとＣＰＵとの協働によって各種処理を実行する。なお、制御部３１０は、撮像装置１００の制御部１０４と通信可能に接続されており、制御信号や画像データの授受が可能になっている。
【００５３】
光学系駆動部１０５は、制御部１０３の制御により合焦、露出等を行う際に、撮像レンズ１０の第１及び第２駆動機構５５ａを動作させて撮像レンズ１０の状態を制御する。光学系駆動部１０５は、駆動機構５５ａを動作させて撮像レンズ１０中の特定のレンズを光軸ＡＸに沿って適宜移動させることにより、撮像レンズ１０に合焦動作を行わせる。
【００５４】
撮像素子駆動部１０７は、制御部１０３の制御により露出等を行う際に、撮像素子５１の動作を制御する。具体的には、撮像素子駆動部１０７は、タイミング信号に基づいて撮像素子５１を走査駆動させて制御する。また、撮像素子駆動部１０７は、撮像素子５１から出力された検出信号又は光電変換信号としてのアナログ信号をデジタルの画像データに変換する。さらに、撮像素子駆動部１０７は、撮像素子５１によって検出された画像信号に対して、歪み補正、色補正、圧縮等の各種画像処理を施すことができる。
【００５５】
画像メモリー１０８は、デジタル化された画像信号を撮像素子駆動部１０７から受け取って、読み出し及び書き込み可能な画像データとして記憶する。
【００５６】
ここで、上記撮像装置１００を含む携帯通信端末３００の撮影動作を説明する。携帯通信端末３００をカメラとして動作させるカメラモードに設定されると、被写体のモニタリング（スルー画像表示）と、画像撮影実行とが行われる。モニタリングにおいては、撮像レンズ１０を介して得られた被写体の像が、撮像素子５１の撮像面Ｉ（図１参照）に結像される。撮像素子５１は、撮像素子駆動部１０７によって走査駆動され、一定周期毎に結像した光像に対応する光電変換出力としてのアナログ信号を１画面分出力する。
【００５７】
このアナログ信号は、撮像素子５１に付属する回路においてＲＧＢの各原色成分毎に適宜ゲイン調整された後に、デジタルデータに変換される。そのデジタルデータは、画素補間処理及びＹ補正処理を含むカラープロセス処理が行なわれて、デジタル値の輝度信号Ｙ及び色差信号Ｃｂ，Ｃｒ（画像データ）が生成されて画像メモリー１０８に格納される。格納されたデジタルデータは、画像メモリー１０８から定期的に読み出されてそのビデオ信号が生成されて、制御部１０３及び制御部３１０を介して、表示操作部３２０に出力される。
【００５８】
この表示操作部３２０は、モニタリングにおいてはファインダーとして機能し、撮像画像をリアルタイムに表示することとなる。この状態で、随時、ユーザーが表示操作部３２０を介して行う操作入力に基づいて、光学系駆動部１０５の駆動により撮像レンズ１０の合焦、露出等が設定される。
【００５９】
このようなモニタリング状態において、ユーザーが表示操作部３２０を適宜操作することにより、静止画像データが撮影される。表示操作部３２０の操作内容に応じて、画像メモリー１０８に格納された１コマの画像データが読み出されて、撮像素子駆動部１０７により圧縮される。その圧縮された画像データは、制御部１０３及び制御部３１０を介して、例えばＲＡＭ３７０等に記録される。
【００６０】
なお、上述の撮像装置１００は、本発明に好適な撮像装置の一例であり、本発明は、これに限定されるものではない。
【００６１】
すなわち、カメラモジュール５０又は撮像レンズ１０を搭載した撮像装置は、スマートフォン型の携帯通信端末３００に内蔵されるものに限らず、携帯電話、ＰＨＳ（Personal Handyphone System）等に内蔵されるものであってもよく、ＰＤＡ（Personal Digital Assistant）、タブレットパソコン、モバイルパソコン、デジタルスチルカメラ、ビデオカメラ等に内蔵されるであってもよい。
【００６２】
以下、図１に戻って、本発明の一実施形態である撮像レンズ１０について詳細に説明する。図１に示す撮像レンズ１０は、撮像素子５１の撮像面（被投影面）Ｉに被写体像を結像させるものであって、Ｆ２．４以上の明るさを有し、物体側より順に、正の屈折力を有し光軸ＡＸ近傍で物体側に凸面を向け第１レンズＬ１と、開口絞りＳと、負の屈折力を有する第２レンズＬ２と、第３レンズＬ３と、第４レンズＬ４と、第５レンズＬ５と、光軸ＡＸ近傍で像側に凹面を向け第６レンズＬ６とから実施的になる。撮像レンズ１０は、第６レンズＬ６の像側面Ｓ６２は非球面形状であり、光軸ＡＸとの交点以外の位置Ｐに極値を持ち、開口絞りＳが第１レンズＬ１の物体側面Ｓ１１から第２レンズＬ２の像側面Ｓ２２までの間であって、図示の例では、特に第１レンズＬ１の像側面Ｓ１２の外縁に隣接して配置されている。撮像レンズ１０は、既に説明した条件式（１）を満足する。
０．３≦ｆ／（２×ｆ１×Ｆｎｏ）＜１．０    …    （１）
ただし、ｆは、撮像レンズ１０全系の焦点距離であり、ｆ１は第１レンズＬ１の焦点距離であり、Ｆｎｏは撮像レンズ１０全系のＦナンバーである。
【００６３】
本実施形態の撮像レンズ１０は、物体側より順に、第１レンズＬ１、第２レンズＬ２、第３レンズＬ３、第４レンズＬ４、及び第５レンズＬ５を備える正レンズ群と、負の第６レンズＬ６とを配置する、いわゆるテレフォトタイプの構成となっている。テレフォトタイプの構成は、撮像レンズ全長の小型化には有利な構成である。
【００６４】
また、６枚構成の撮像レンズ１０のうち２枚以上を負レンズとすることで、発散作用を有する面を多くしてペッツバール和の補正を容易とし、画面周辺部まで良好な結像性能を確保した撮像レンズ１０を得ることが可能となる。さらに、第１レンズＬ１の物体側面Ｓ１１を凸面とすることで、撮像レンズ１０全系の合成主点位置をより物体側へ寄せることができ、撮像レンズ１０全長の小型化に有利となる。
【００６５】
また、最も像側に配置された第６レンズＬ６の像側面Ｓ６２を非球面とすることで、画面周辺部での諸収差を良好に補正することができる。さらに、光軸ＡＸとの交点以外の位置Ｐに極値を持つ非球面形状とすることで、像側光束のテレセントリック特性が確保しやすくなる。ここで、「極値」とは有効半径内でのレンズ断面形状の曲線において、非球面頂点の接平面が光軸ＡＸと垂直な平面となるような非球面上の点のことである。
【００６６】
また、開口絞りＳを第１レンズＬ１の物体側面Ｓ１１から第２レンズＬ２の像側面Ｓ２２までの間に配置することで、撮像レンズ１０全長の小型化と良好なテレセントリック特性の両立を行うことができる。さらに、撮像レンズ１０のＦナンバーをＦ２．４以下の明るさとすることで、近年の高性能化に対応できる撮像レンズ１０を得ることができる。
【００６７】
条件式（１）は、第１レンズＬ１の単体のＮＡを規定し、撮像レンズ１０全長の小型化と良好な収差補正を行うための条件式である。なお、条件式（１）の値ｆ／（２×ｆ１×Ｆｎｏ）は、上述のように第１レンズＬ１単体の開口数に相当するものとなっている。
【００６８】
条件式（１）の上限を下回ることで、第１レンズＬ１単体のＮＡが大きくなりすぎず、第１レンズＬ１で発生する球面収差を小さく抑えることができる。一方で、下限を上回ることで、第１レンズＬ１の屈折力を適度に維持することができ、撮像レンズ１０全長の小型化を達成することができる。また、より望ましくは下式の範囲がよい。
０．３≦ｆ／（２×ｆ１×Ｆｎｏ）＜０．８    …    （１）'
【００６９】
実施形態の撮像レンズ１０は、上記条件式（１）に加えて、既に説明した条件式（２）
−１．１＜ｆ６／ｆ＜−０．１    …    （２）
を満足する。ただし、ｆ６は第６レンズＬ６の焦点距離であり、ｆは撮像レンズ１０全系の焦点距離である。
実施形態の撮像レンズ１０は、より好ましくは、下記の条件式（２）'を満たす。
−１．０＜ｆ６／ｆ＜−０．２    …    （２）'
【００７０】
実施形態の撮像レンズ１０は、上記条件式（１）及び（２）に加えて、既に説明した条件式（３）
−１．８＜ｆ２／ｆ＜−０．１    …    （３）
を満足する。ただし、ｆ２は第２レンズＬ２の焦点距離であり、ｆは撮像レンズ１０全系の焦点距離である。
実施形態の撮像レンズ１０は、より好ましくは、下記の条件式（３）'を満たす。
−１．７＜ｆ２／ｆ＜−０．２    …    （３）'
【００７１】
実施形態の撮像レンズ１０は、上記条件式（１）〜（３）に加えて、既に説明した条件式（４）
０．３＜ｒ１／ｆ＜０．６    …    （４）
を満足する。ただし、ｒ１は第１レンズＬ１の物体側面Ｓ１１の曲率半径であり、ｆは撮像レンズ１０全系の焦点距離である。
実施形態の撮像レンズ１０は、より好ましくは、下記の条件式（４）'を満たす。
０．３５＜ｒ１／ｆ＜０．５５    …    （４）'
【００７２】
実施形態の撮像レンズ１０は、上記条件式（１）〜（４）に加えて、既に説明した条件式（５）
０．０２＜ＴＨＩＬ２／ｆ＜０．１５    …    （５）
を満足する。ただし、ＴＨＩＬ２は第２レンズＬ２の光軸ＡＸ上の厚みであり、ｆは撮像レンズ１０全系の焦点距離である。
実施形態の撮像レンズ１０は、より好ましくは、下記の条件式（５）'を満たす。
０．０３＜ＴＨＩＬ２／ｆ＜０．１２    …    （５）'
【００７３】
実施形態の撮像レンズ１０は、上記条件式（１）〜（５）に加えて、既に説明した条件式（６）
０．０３＜ＴＨＩＬ６／ｆ＜０．３０    …    （６）
を満足する。ただし、ＴＨＩＬ６は第６レンズＬ６の光軸ＡＸ上の厚みであり、ｆは撮像レンズ１０全系の焦点距離である。
実施形態の撮像レンズ１０は、より好ましくは、下記の条件式（６）'又は（６）"を満たす。
０．０５≦ＴＨＩＬ６／ｆ＜０．２５    …    （６）'
０．１０＜ＴＨＩＬ６／ｆ＜０．３０    …    （６）"
或いは、下式を満たすものとすることもできる。
０．１５＜ＴＨＩＬ６／ｆ＜０．２５    …    （６−２）
【００７４】
実施形態の撮像レンズ１０は、上記条件式（１）〜（６）に加えて、既に説明した条件式（７）
０≦ν５−ν６＜５０    …    （７）
を満足する。ただし、ν５は第５レンズＬ５のアッベ数であり、ν６は第６レンズＬ６のアッベ数である。
実施形態の撮像レンズ１０は、より好ましくは、下記の条件式（７）'を満たす。
０≦ν５−ν６＜４５    …    （７）'
【００７５】
実施形態の撮像レンズ１０は、上記条件式（１）〜（７）に加えて、既に説明した条件式（８）
２０＜ν１−ν２＜７０    …    （８）
を満足する。ただし、ν１は第１レンズＬ１のアッベ数であり、ν２は第２レンズＬ２のアッベ数である。
実施形態の撮像レンズ１０は、より好ましくは、下記の条件式（８）'を満たす。
２５＜ν１−ν２＜６５    …    （８）'
【００７６】
実施形態の撮像レンズ１０では、実質的にパワーを持たないレンズをさらに有する。
【００７７】
実施形態の撮像装置１００は、上述の撮像レンズ１０と、撮像素子５１とを備える。
【００７８】
実施形態の携帯通信端末（携帯端末）３００は、上述のように小型で諸収差が良好に補正された撮像装置を備える。
【００７９】
〔実施例〕
以下、本発明の撮像レンズの実施例を示す。各実施例に使用する記号は下記の通りである。
ｆ      ：撮像レンズ全系の焦点距離
ｆＢ    ：バックフォーカス
Ｆ      ：Ｆナンバー
２Ｙ    ：撮像素子の撮像面対角線長
ＥＮＴＰ：入射瞳位置（第１面から入射瞳位置までの距離）
ＥＸＴＰ：射出瞳位置（撮像面から射出瞳位置までの距離）
Ｈ１    ：前側主点位置（第１面から前側主点位置までの距離）
Ｈ２    ：後側主点位置（最終面から後側主点位置までの距離）
Ｒ      ：曲率半径
ｄ      ：軸上面間隔
Ｎｄ    ：レンズ材料のｄ線に対する屈折率
νｄ    ：レンズ材料のアッベ数
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【数１】
2014115431.tif 000003
ただし、
Ａｉ：ｉ次の非球面係数
Ｒ  ：曲率半径
Ｋ  ：円錐定数
【００８０】
（実施例１）
実施例１の撮像レンズの全体諸元を以下に示す。
f=3.47mm
fB=0.29mm
F=1.81
2Y=5.7mm
ENTP=0.4mm
EXTP=-2.5mm
H1=-0.44mm
H2=-3.18mm
【００８１】
実施例１のレンズ面のデータを以下の表１に示す。
〔表１〕
面番号      R(mm)      d(mm)      Nd        νd      有効半径(mm)
1*        1.719      0.55      1.54470      56.2      1.05
2(STOP) -24.146      0.09                             0.90
3*        4.510      0.20      1.63470      23.9      0.93
4*        1.771      0.37                             0.94
5*        4.427      0.20      1.63470      23.9      0.98
6*        2.777      0.09                             1.18
7*        3.617      0.68      1.54470      56.2      1.44
8*        6.274      0.19                             1.49
9*      132.081      0.78      1.54470      56.2      1.61
10*       -0.790      0.09                             1.65
11*       -4.971      0.52      1.54470      56.2      1.73
12*        0.928      0.60                             2.41
13        infinite    0.11      1.51630      64.1      2.72
14        infinite                                     2.75
【００８２】
実施例１のレンズ面の非球面係数を以下の表２に示す。
〔表２〕
第1面
K=-0.14072E+01, A4=0.38929E-01, A6=0.11304E-01, A8=0.15016E-01, 
A10=-0.58592E-01, A12=0.75804E-01, A14=-0.34646E-01
第2面
K=0.50000E+02, A4=0.78856E-01, A6=-0.13149E-01, A8=-0.16713E+00, 
A10=0.36760E+00, A12=-0.34516E+00, A14=0.11532E+00
第3面
K=-0.47956E+02, A4=0.53604E-01, A6=0.25727E-01, A8=-0.11048E+00, 
A10=0.12403E+00, A12=-0.53290E-01
第4面
K=-0.82498E+01, A4=0.79973E-01, A6=0.13324E-01, A8=-0.38437E-01, 
A10=0.38815E-01
第5面
K=0.16769E+02, A4=-0.22231E+00, A6=0.18631E+00, A8=-0.38232E+00, 
A10=0.31551E+00, A12=-0.15211E+00
第6面
K=-0.25636E+02, A4=-0.16643E+00, A6=0.27573E+00, A8=-0.37975E+00, 
A10=0.31971E+00, A12=-0.15613E+00, A14=0.32579E-01
第7面
K=-0.50000E+02, A4=-0.12109E+00, A6=0.13641E+00, A8=-0.55292E-01, 
A10=0.43084E-02, A12=0.30013E-02, A14=-0.46902E-03
第8面
K=0.0,          A4=-0.10875E+00, A6=-0.74101E-02, A8=-0.13541E-01, 
A10=0.19732E-01, A12=-0.11943E-01, A14=0.30788E-02
第9面
K=0.50000E+02, A4=0.23826E-02, A6=-0.39241E-01, A8=-0.37907E-01, 
A10=0.38522E-01, A12=-0.10795E-01, A14=0.11212E-02
第10面
K=-0.40370E+01, A4=-0.40310E-01, A6=-0.13923E-01, A8=-0.37676E-02, 
A10=0.45008E-02, A12=0.16133E-02, A14=-0.53944E-03
第11面
K=0.68701E+01, A4=0.71583E-01, A6=-0.24897E+00, A8=0.19277E+00, 
A10=-0.73475E-01, A12=0.13043E-01, A14=-0.67098E-03
第12面
K=-0.68557E+01, A4=-0.70387E-01, A6=0.21581E-01, A8=-0.55183E-02, 
A10=0.72807E-03, A12=-0.38086E-04, A14=-0.30918E-06
なお、これ以降（表のレンズデータを含む）において、１０のべき乗数（たとえば２．５×１０−０２）をＥ（たとえば２．５Ｅ−０２）を用いて表すものとする。
【００８３】
実施例１の単レンズデータを以下の表３に示す。
〔表３〕
レンズ              始面                焦点距離(mm)
1                    1                  2.968
2                    3                 -4.728
3                    5                -12.325
4                    7                 14.377
5                    9                  1.444
6                   11                 -1.392
【００８４】
図５は、実施例１の撮像レンズ１１等の断面図である。撮像レンズ１１は、光軸ＡＸ周辺で正の屈折力を有し両凸の第１レンズＬ１と、光軸ＡＸ周辺で負の屈折力を有し物体側に凸でメニスカスの第２レンズＬ２と、光軸ＡＸ周辺で負の屈折力を有し物体側に凸でメニスカスの第３レンズＬ３と、光軸ＡＸ周辺で正の屈折力を有し物体側に凸でメニスカスの第４レンズＬ４と、光軸ＡＸ周辺で正の屈折力を有し両凸の第５レンズＬ５と、光軸ＡＸ周辺で負の屈折力を有し両凹の第６レンズＬ６とを備える。全てのレンズＬ１〜Ｌ６は、プラスチック材料から形成されている。第１レンズＬ１の像側面上には、開口絞りＳが配置されている。なお、第６レンズＬ６の光射出面と凹の撮像面（像面）Ｉとの間には、適当な厚さの平行平板Ｆを配置することができる。平行平板Ｆは、光学的ローパスフィルタ、ＩＲカットフィルタ、固体撮像素子のシールガラス等を想定したものである。
【００８５】
図６（Ａ）〜６（Ｃ）は、実施例１の撮像レンズ１１の収差図（球面収差、非点収差、及び歪曲収差）を示している。
【００８６】
実施例１において、各レンズＬ１〜Ｌ６間に迷光対策として遮光板が配置される。図２を参照すると、一対のレンズＬ１，Ｌ２間に配置される遮光板３１すなわち開口絞りＳの直径（絞り径）は、０．８８〜０．９２ｍｍ程度の範囲内とし、第１の遮光板３１すなわち開口絞りＳの第１レンズＬ１の物体側面頂点からの距離（絞り位置）は、０．５７〜０．７４ｍｍ程度の範囲内とする。次の一対のレンズＬ２，Ｌ３間に配置される第２の遮光板３２の直径（絞り径）は、０．９３〜０．９８ｍｍ程度の範囲内とし、遮光板３２の第１レンズＬ１の物体側面頂点からの距離（絞り位置）は、１．０９〜１．１５ｍｍ程度の範囲内とする。次の一対のレンズＬ３，Ｌ４間に配置される第３の遮光板３３の直径（絞り径）は、１．１７〜１．４３ｍｍ程度の範囲内とし、第３の遮光板３３の第１レンズＬ１の物体側面頂点からの距離（絞り位置）は、１．４３〜１．６５ｍｍ程度の範囲内とする。次の一対のレンズＬ４，Ｌ５間に配置される第４の遮光板３４の直径（絞り径）は、１．４９〜１．６１ｍｍ程度の範囲内とし、第４の遮光板３４の第１レンズＬ１の物体側面頂点からの距離（絞り位置）は、１．８８〜２．１３ｍｍ程度の範囲内とする。
【００８７】
（実施例２）
実施例２の撮像レンズの全体諸元を以下に示す。
f=3.85mm
fB=0.43mm
F=2.3
2Y=5.72mm
ENTP=0.46mm
EXTP=-2.36mm
H1=-1mm
H2=-3.42mm
【００８８】
実施例２のレンズ面のデータを以下の表４に示す。
〔表４〕
面番号      R(mm)      d(mm)      Nd        νd      有効半径(mm)
1*        1.663      0.68      1.53050      55.7      1.08
2*       -5.430     -0.04                             0.92
3(STOP)  infinite    0.10                             0.92
4*       -9.998      0.21      1.63470      23.9      0.93
5*        3.698      0.49                             0.93
6*       13.562      0.31      1.63470      23.9      1.00
7*       15.912      0.24                             1.14
8*       -2.727      0.48      1.54400      55.9      1.25
9*       -1.968      0.12                             1.61
10*       -2.669      0.58      1.54470      56.2      1.57
11*       -0.814      0.30                             1.82
12*       -2.368      0.20      1.53050      55.7      2.39
13*        1.128      0.57                             2.64
14        infinite    0.11      1.51630      64.1      3.06
15        infinite                                     3.09
【００８９】
実施例２のレンズ面の非球面係数を以下の表５に示す。
〔表５〕
第1面
K=-0.57136E+01, A4=0.14992E+00, A6=-0.10653E+00, A8=0.77640E-01, 
A10=-0.45663E-01, A12=0.47080E-02, A14=-0.42646E-02
第2面
K=-0.50000E+02, A4=0.27882E-01, A6=-0.57837E-03, A8=-0.88468E-01, 
A10=0.11598E+00, A12=-0.10714E+00, A14=0.43366E-01
第4面
K=-0.50000E+02, A4=0.42863E-01, A6=0.13435E-01, A8=0.83623E-01, 
A10=-0.28926E+00, A12=0.32167E+00, A14=-0.10843E+00
第5面
K=-0.21029E+02, A4=0.85350E-02, A6=0.42398E-01, A8=0.21305E-01, 
A10=-0.12559E+00, A12=0.10567E+00, A14=-0.63732E-02
第6面
K=-0.10000E+01, A4=-0.18417E+00, A6=-0.72235E-01, A8=0.94902E-01, 
A10=-0.11135E+00, A12=0.64307E-01
第7面
K=-0.46569E+01, A4=-0.11941E+00, A6=-0.24734E-01, A8=0.40505E-01, 
A10=-0.15154E-01, A12=0.14868E-01
第8面
K=0.15151E+01, A4=0.44378E-01, A6=0.42445E-01, A8=-0.77688E-01, 
A10=0.78028E-01, A12=-0.39923E-01, A14=0.83687E-02
第9面
K=-0.21739E+01, A4=0.30251E-01, A6=-0.11811E-01, A8=-0.74409E-04, 
A10=0.35777E-03
第10面
K=0.16452E+01, A4=0.39191E-02, A6=-0.44213E-02, A8=-0.60551E-02, 
A10=0.35410E-02
第11面
K=-0.38207E+01, A4=-0.93810E-01, A6=0.72990E-01, A8=-0.48637E-01, 
A10=0.19304E-01, A12=-0.32715E-02, A14=0.12032E-03
第12面
K=-0.34614E+02, A4=-0.17979E-02, A6=-0.13852E-01, A8=0.43322E-02, 
A10=-0.27678E-03, A12=-0.32774E-04, A14=0.32851E-05
第13面
K=-0.94950E+01, A4=-0.34514E-01, A6=0.78270E-02, A8=-0.24331E-02, 
A10=0.44235E-03, A12=-0.47448E-04, A14=0.22967E-05
【００９０】
実施例２の単レンズデータを以下の表６に示す。
〔表６〕
レンズ              始面                焦点距離(mm)
1                    1                  2.482
2                    4                 -4.228
3                    6                137.671
4                    8                 10.625
5                   10                  1.937
6                   12                 -1.412
【００９１】
図７は、実施例２の撮像レンズ１２等の断面図である。撮像レンズ１２は、光軸ＡＸ周辺で正の屈折力を有し両凸の第１レンズＬ１と、光軸ＡＸ周辺で負の屈折力を有し両凹の第２レンズＬ２と、光軸ＡＸ周辺で弱い正の屈折力を有し物体側に凸でメニスカスの第３レンズＬ３と、光軸ＡＸ周辺で正の屈折力を有し像側に凸でメニスカスの第４レンズＬ４と、光軸ＡＸ周辺で正の屈折力を有し像側に凸でメニスカスの第５レンズＬ５と、光軸ＡＸ周辺で負の屈折力を有し両凹の第６レンズＬ６とを備える。全てのレンズＬ１〜Ｌ６は、プラスチック材料から形成されている。第１レンズＬ１と第２レンズＬ２との間には、開口絞りＳが配置されている。なお、第６レンズＬ６の光射出面と凹の撮像面（像面）Ｉとの間には、適当な厚さの平行平板Ｆを配置することができる。
【００９２】
図８（Ａ）〜８（Ｃ）は、実施例２の撮像レンズ１２の収差図（球面収差、非点収差、及び歪曲収差）を示している。
【００９３】
（実施例３）
実施例３の撮像レンズの全体諸元を以下に示す。
f=3.89mm
fB=0.59mm
F=2
2Y=5.7mm
ENTP=0mm
EXTP=-2.53mm
H1=-0.96mm
H2=-3.3mm
【００９４】
実施例３のレンズ面のデータを以下の表７に示す。
〔表７〕
面番号      R(mm)      d(mm)      Nd        νd      有効半径(mm)
1(STOP)  infinite   -0.36                             0.97
2*        1.546      0.56      1.53050      55.7      0.97
3*     -100.844      0.15                             0.96
4*       -7.014      0.20      1.63470      23.9      0.95
5*        5.689      0.39                             0.94
6*        8.664      0.21      1.63470      23.9      0.97
7*        9.100      0.27                             1.07
8*       -3.455      0.43      1.54470      56.2      1.27
9*       -1.647      0.37                             1.39
10*       -1.519      0.55      1.54470      56.2      1.47
11*       -0.600      0.17                             1.63
12*       -2.207      0.21      1.54470      56.2      2.24
13*        0.926      0.55                             2.44
14        infinite    0.11      1.51630      64.1      2.68
15        infinite                                     2.70
【００９５】
実施例３のレンズ面の非球面係数を以下の表８に示す。
〔表８〕
第2面
K=-0.61775E+01, A4=0.21684E+00, A6=-0.16228E+00, A8=0.18221E+00, 
A10=-0.11610E+00, A12=0.39752E-01, A14=0.63607E-03
第3面
K=0.41584E+02, A4=0.11697E-01, A6=0.48302E-01, A8=-0.10021E+00, 
A10=0.16133E+00, A12=-0.15040E+00, A14=0.55436E-01
第4面
K=-0.50000E+02, A4=0.98052E-02, A6=-0.12964E-02, A8=0.26605E+00, 
A10=-0.68588E+00, A12=0.66387E+00, A14=-0.22781E+00
第5面
K=0.32480E+02, A4=-0.36042E-01, A6=0.47918E-01, A8=0.33983E-01, 
A10=-0.25337E+00, A12=0.23954E+00, A14=-0.66883E-01
第6面
K=0.20717E+02, A4=-0.28718E+00, A6=-0.10631E+00, A8=0.20235E+00, 
A10=-0.36581E+00, A12=0.27589E+00
第7面
K=0.50000E+02, A4=-0.20654E+00, A6=-0.55353E-01, A8=0.65007E-01, 
A10=-0.29126E-01, A12=0.40692E-01
第8面
K=0.57372E+01, A4=0.55802E-01, A6=0.44419E-01, A8=-0.14059E+00, 
A10=0.18627E+00, A12=-0.10431E+00, A14=0.22099E-01
第9面
K=-0.21641E+01, A4=0.16013E-01, A6=-0.19776E-03, A8=0.84968E-02, 
A10=-0.21706E-02
第10面
K=-0.55540E-01, A4=-0.39174E-01, A6=0.38742E-01, A8=0.48313E-02, 
A10=0.19098E-02
第11面
K=-0.34924E+01, A4=-0.20054E+00, A6=0.14022E+00, A8=-0.89197E-01, 
A10=0.44320E-01, A12=-0.87865E-02, A14=0.28323E-03
第12面
K=-0.50000E+02, A4=-0.36443E-02, A6=-0.21836E-01, A8=0.79889E-02, 
A10=-0.60285E-03, A12=-0.79461E-04, A14=0.10003E-04
第13面
K=-0.11006E+02, A4=-0.44130E-01, A6=0.12092E-01, A8=-0.45247E-02, 
A10=0.10333E-02, A12=-0.12744E-03, A14=0.66897E-05
【００９６】
実施例３の単レンズデータを以下の表９に示す。
〔表９〕
レンズ              始面                焦点距離(mm)
1                    2                  2.876
2                    4                 -4.919
3                    6                239.439
4                    8                  5.337
5                   10                  1.505
6                   12                 -1.170
【００９７】
図９は、実施例３の撮像レンズ１３等の断面図である。撮像レンズ１３は、光軸ＡＸ周辺で正の屈折力を有し物体側に凸平に近い両凸の第１レンズＬ１と、光軸ＡＸ周辺で負の屈折力を有し両凹の第２レンズＬ２と、光軸ＡＸ周辺で弱い正の屈折力を有し物体側に凸でメニスカスの第３レンズＬ３と、光軸ＡＸ周辺で正の屈折力を有し像側に凸でメニスカスの第４レンズＬ４と、光軸ＡＸ周辺で正の屈折力を有し像側に凸でメニスカスの第５レンズＬ５と、光軸ＡＸ周辺で負の屈折力を有し両凹の第６レンズＬ６とを備える。全てのレンズＬ１〜Ｌ６は、プラスチック材料から形成されている。第１レンズＬ１の物体側（第１レンズＬ１の頂点よりも像側）には、開口絞りＳが配置されている。なお、第６レンズＬ６の光射出面と凹の撮像面（像面）Ｉとの間には、適当な厚さの平行平板Ｆを配置することができる。
【００９８】
図１０（Ａ）〜１０（Ｃ）は、実施例３の撮像レンズ１３の収差図（球面収差、非点収差、及び歪曲収差）を示している。
【００９９】
（実施例４）
実施例４の撮像レンズの全体諸元を以下に示す。
f=3.66mm
fB=0.4mm
F=2.3
2Y=5.72mm
ENTP=0.4mm
EXTP=-2.33mm
H1=-0.85mm
H2=-3.26mm
【０１００】
実施例４のレンズ面のデータを以下の表１０に示す。
〔表１０〕
面番号      R(mm)      d(mm)      Nd      νd      有効半径(mm)
1*        1.610      0.65      1.53050      55.7      0.95
2*       -4.254     -0.07                             0.77
3(STOP)  infinite    0.14                             0.75
4*       -2.374      0.24      1.63470      23.9      0.75
5*      -20.014      0.39                             0.79
6*      -20.004      0.30      1.63470      23.9      0.82
7*       -9.978      0.21                             1.04
8*       -1.570      0.64      1.54400      55.9      1.13
9*       -1.318      0.09                             1.29
10*       -2.244      0.52      1.54470      56.2      1.33
11*       -1.055      0.51                             1.49
12*       -3.230      0.20      1.58000      30.0      1.97
13*        1.580      0.45                             2.37
14        infinite    0.11      1.51630      64.1      2.63
15        infinite                                     2.67
【０１０１】
実施例４のレンズ面の非球面係数を以下の表１１に示す。
〔表１１〕
第1面
K=-0.77966E+01, A4=0.21400E+00, A6=-0.26672E+00, A8=0.24718E+00, 
A10=-0.17012E+00, A12=-0.14624E+00, A14=0.14737E+00
第2面
K=-0.45588E+02, A4=-0.34764E-01, A6=0.70251E-02, A8=-0.22160E+00, 
A10=0.39624E+00, A12=-0.29953E+00, A14=0.12642E+00
第4面
K=-0.22724E+02, A4=0.10032E+00, A6=-0.16584E-01, A8=0.16844E+00, 
A10=-0.73981E+00, A12=0.16188E+01, A14=-0.99781E+00
第5面
K=-0.50000E+02, A4=0.18211E+00, A6=-0.18920E+00, A8=0.18469E+00, 
A10=-0.26828E+00, A12=0.38785E+00, A14=-0.25720E+00
第6面
K=-0.10000E+01, A4=-0.28301E+00, A6=-0.21804E+00, A8=0.78656E-01, 
A10=-0.29431E+00, A12=-0.82607E-01
第7面
K=0.36424E+02, A4=-0.16388E+00, A6=-0.75483E-01, A8=0.97245E-01, 
A10=-0.57741E-01, A12=0.51572E-01
第8面
K=0.47091E+00, A4=0.58870E-01, A6=0.89751E-01, A8=-0.16795E+00, 
A10=0.28479E+00, A12=-0.21142E+00, A14=0.58014E-01
第9面
K=-0.71685E+00, A4=0.59157E-02, A6=-0.90259E-03, A8=-0.21768E-01, 
A10=0.48384E-02
第10面
K=0.80955E+00, A4=-0.44331E-01, A6=-0.45875E-01, A8=-0.13137E-01, 
A10=0.13853E-01
第11面
K=-0.45768E+01, A4=-0.19652E+00, A6=0.14079E+00, A8=-0.13956E+00, 
A10=0.71396E-01, A12=-0.16183E-01, A14=0.13681E-02
第12面
K=-0.25974E+01, A4=0.10583E-02, A6=-0.26396E-01, A8=0.98667E-02, 
A10=-0.91010E-03, A12=-0.76080E-04, A14=0.13825E-04
第13面
K=-0.11699E+02, A4=-0.46216E-01, A6=0.15892E-01, A8=-0.64323E-02, 
A10=0.15942E-02, A12=-0.19941E-03, A14=0.98822E-05
【０１０２】
実施例４の単レンズデータを以下の表１２に示す。
〔表１２〕
レンズ              始面                焦点距離(mm)
1                    1                  2.289
2                    4                 -4.265
3                    6                 31.005
4                    8                  7.988
5                   10                  3.166
6                   12                 -1.802
【０１０３】
図１１は、実施例４の撮像レンズ１４等の断面図である。撮像レンズ１４は、光軸ＡＸ周辺で正の屈折力を有し両凸の第１レンズＬ１と、光軸ＡＸ周辺で負の屈折力を有し両凹の第２レンズＬ２と、光軸ＡＸ周辺で弱い正の屈折力を有し像側に凸でメニスカスの第３レンズＬ３と、光軸ＡＸ周辺で正の屈折力を有し像側に僅かに凸でメニスカスの第４レンズＬ４と、光軸ＡＸ周辺で正の屈折力を有し像側に凸でメニスカスの第５レンズＬ５と、光軸ＡＸ周辺で負の屈折力を有し両凹の第６レンズＬ６とを備える。全てのレンズＬ１〜Ｌ６は、プラスチック材料から形成されている。第１レンズＬ１と第２レンズＬ２との間には、開口絞りＳが配置されている。なお、第６レンズＬ６の光射出面と凹の撮像面（像面）Ｉとの間には、適当な厚さの平行平板Ｆを配置することができる。
【０１０４】
図１２（Ａ）〜１２（Ｃ）は、実施例４の撮像レンズ１４の収差図（球面収差、非点収差、及び歪曲収差）を示している。
【０１０５】
（実施例５）
実施例５の撮像レンズの全体諸元を以下に示す。
f=3.75mm
fB=0.43mm
F=2.3
2Y=5.72mm
ENTP=0.36mm
EXTP=-2.37mm
H1=-0.91mm
H2=-3.32mm
【０１０６】
実施例５のレンズ面のデータを以下の表１３に示す。
〔表１３〕
面番号      R(mm)      d(mm)      Nd        νd      有効半径(mm)
1*        1.589      0.58      1.53050      55.7      0.93
2*       -5.051     -0.06                             0.77
3(STOP)  infinite    0.13                             0.77
4*       -3.631      0.27      1.63470      23.9      0.79
5*        6.619      0.37                             0.83
6*       10.706      0.24      1.63470      23.9      0.86
7*      -23.774      0.27                             1.00
8*       -1.815      0.59      1.54400      55.9      1.08
9*       -1.532      0.09                             1.29
10*       -2.142      0.58      1.54470      56.2      1.36
11*       -0.990      0.45                             1.52
12*       -3.754      0.20      1.58000      30.0      1.89
13*        1.450      0.49                             2.32
14        infinite    0.11      1.51630      64.1      2.62
15        infinite                                     2.65
【０１０７】
実施例５のレンズ面の非球面係数を以下の表１４に示す。
〔表１４〕
第1面
K=-0.75537E+01, A4=0.22242E+00, A6=-0.24796E+00, A8=0.23142E+00, 
A10=-0.15362E+00, A12=-0.65077E-01, A14=0.58069E-01
第2面
K=-0.44511E+02, A4=-0.17123E-01, A6=0.47448E-01, A8=-0.20513E+00, 
A10=0.33557E+00, A12=-0.43161E+00, A14=0.25008E+00
第4面
K=-0.19891E+02, A4=0.57607E-01, A6=0.42329E-01, A8=0.18850E+00, 
A10=-0.92152E+00, A12=0.14797E+01, A14=-0.75775E+00
第5面
K=0.26972E+01, A4=0.10182E-01, A6=0.57426E-01, A8=0.27271E-02, 
A10=-0.35952E+00, A12=0.61026E+00, A14=-0.35402E+00
第6面
K=-0.10000E+01, A4=-0.26910E+00, A6=-0.16364E+00, A8=0.14269E+00, 
A10=-0.35707E+00, A12=0.25434E+00
第7面
K=0.50000E+02, A4=-0.16239E+00, A6=-0.96795E-01, A8=0.93200E-01, 
A10=-0.40005E-01, A12=0.69349E-01
第8面
K=0.14056E+01, A4=0.62932E-01, A6=0.69236E-01, A8=-0.18106E+00, 
A10=0.28813E+00, A12=-0.20801E+00, A14=0.55414E-01
第9面
K=-0.78900E+00, A4=0.16184E-01, A6=-0.17565E-01, A8=-0.51152E-02, 
A10=-0.51957E-02
第10面
K=0.51551E+00, A4=-0.38823E-01, A6=-0.37284E-02, A8=-0.15294E-01, 
A10=0.85424E-02
第11面
K=-0.41101E+01, A4=-0.17908E+00, A6=0.15362E+00, A8=-0.13801E+00, 
A10=0.70930E-01, A12=-0.16662E-01, A14=0.11302E-02
第12面
K=-0.29111E+01, A4=-0.86806E-02, A6=-0.25400E-01, A8=0.10190E-01, 
A10=-0.11039E-02, A12=-0.11796E-03, A14=0.28331E-04
第13面
K=-0.10170E+02, A4=-0.60052E-01, A6=0.20405E-01, A8=-0.71565E-02, 
A10=0.16230E-02, A12=-0.19849E-03, A14=0.99929E-05
【０１０８】
実施例５の単レンズデータを以下の表１５に示す。
〔表１５〕
レンズ              始面                焦点距離(mm)
1                    1                  2.350
2                    4                 -3.657
3                    6                 11.662
4                    8                 10.446
5                   10                  2.866
6                   12                 -1.778
【０１０９】
図１３は、実施例５の撮像レンズ１５等の断面図である。撮像レンズ１５は、光軸ＡＸ周辺で正の屈折力を有し両凸の第１レンズＬ１と、光軸ＡＸ周辺で負の屈折力を有し両凹の第２レンズＬ２と、光軸ＡＸ周辺で正の屈折力を有し両凸の第３レンズＬ３と、光軸ＡＸ周辺で正の屈折力を有し像側に凸でメニスカスの第４レンズＬ４と、光軸ＡＸ周辺で正の屈折力を有し像側に凸でメニスカスの第５レンズＬ５と、光軸ＡＸ周辺で負の屈折力を有し両凹の第６レンズＬ６とを備える。全てのレンズＬ１〜Ｌ６は、プラスチック材料から形成されている。第１レンズＬ１と第２レンズＬ２との間には、開口絞りＳが配置されている。なお、第６レンズＬ６の光射出面と凹の撮像面（像面）Ｉとの間には、適当な厚さの平行平板Ｆを配置することができる。
【０１１０】
図１４（Ａ）〜１４（Ｃ）は、実施例５の撮像レンズ１５の収差図（球面収差、非点収差、及び歪曲収差）を示している。
【０１１１】
（実施例６）
実施例６の撮像レンズの全体諸元を以下に示す。
f=3.5mm
fB=0.28mm
F=1.9
2Y=5.7mm
ENTP=0.37mm
EXTP=-2.38mm
H1=-0.75mm
H2=-3.23mm
【０１１２】
実施例６のレンズ面のデータを以下の表１６に示す。
〔表１６〕
面番号      R(mm)      d(mm)      Nd        νd      有効半径(mm)
1*        1.734      0.52      1.54470      56.2      1.01
2(STOP) -47.682      0.09                             0.87
3*        3.985      0.20      1.63470      23.9      0.91
4*        1.789      0.38                             0.92
5*        4.982      0.20      1.63470      23.9      0.97
6*        2.784      0.09                             1.15
7*        3.695      0.65      1.54470      56.2      1.35
8*       12.068      0.28                             1.43
9*       10.757      0.78      1.54470      56.2      1.53
10*       -0.915      0.10                             1.65
11*       -4.284      0.53      1.54470      56.2      1.73
12*        0.973      0.55                             2.43
13        infinite    0.11      1.51630      64.1      2.73
14        infinite                                     2.75
【０１１３】
実施例６のレンズ面の非球面係数を以下の表１７に示す。
〔表１７〕
第1面
K=-0.14963E+01, A4=0.37991E-01, A6=0.11937E-01, A8=0.58805E-02, 
A10=-0.52234E-01, A12=0.78241E-01, A14=-0.41967E-01
第2面
K=0.50000E+02, A4=0.55686E-01, A6=0.12884E-01, A8=-0.18486E+00, 
A10=0.35413E+00, A12=-0.32738E+00, A14=0.10805E+00
第3面
K=-0.47956E+02, A4=0.66690E-01, A6=0.16957E-01, A8=-0.10336E+00, 
A10=0.12517E+00, A12=-0.57844E-01
第4面
K=-0.85665E+01, A4=0.88211E-01, A6=0.74948E-02, A8=-0.26455E-01, 
A10=0.31873E-01
第5面
K=0.22704E+02, A4=-0.23972E+00, A6=0.20177E+00, A8=-0.40102E+00, 
A10=0.32479E+00, A12=-0.14628E+00
第6面
K=-0.25934E+02, A4=-0.18240E+00, A6=0.27320E+00, A8=-0.37720E+00, 
A10=0.31948E+00, A12=-0.15665E+00, A14=0.33124E-01
第7面
K=-0.50000E+02, A4=-0.12170E+00, A6=0.13393E+00, A8=-0.56058E-01, 
A10=0.49401E-02, A12=0.32513E-02, A14=-0.61276E-03
第8面
K=0.0,          A4=-0.13040E+00, A6=0.22584E-02, A8=-0.75990E-02, 
A10=0.19779E-01, A12=-0.12608E-01, A14=0.30114E-02
第9面
K=0.46640E+02, A4=-0.79784E-02, A6=-0.32514E-01, A8=-0.40882E-01, 
A10=0.36905E-01, A12=-0.11015E-01, A14=0.11223E-02
第10面
K=-0.49276E+01, A4=-0.14850E-01, A6=-0.28432E-01, A8=-0.37676E-02, 
A10=0.43906E-02, A12=0.15636E-02, A14=-0.50791E-03
第11面
K=0.47399E+01, A4=0.22408E-01, A6=-0.23734E+00, A8=0.19600E+00, 
A10=-0.72528E-01, A12=0.13046E-01, A14=-0.82208E-03
第12面
K=-0.66280E+01, A4=-0.80397E-01, A6=0.25571E-01, A8=-0.59785E-02, 
A10=0.77017E-03, A12=-0.45228E-04, A14=0.23292E-06
【０１１４】
実施例６の単レンズデータを以下の表１８に示す。
〔表１８〕
レンズ              始面                焦点距離(mm)
1                    1                  3.084
2                    3                 -5.301
3                    5                -10.302
4                    7                  9.516
5                    9                  1.585
6                   11                 -1.406
【０１１５】
図１５は、実施例６の撮像レンズ１６等の断面図である。撮像レンズ１６は、光軸ＡＸ周辺で正の屈折力を有し両凸の第１レンズＬ１と、光軸ＡＸ周辺で負の屈折力を有し物体側に凸でメニスカスの第２レンズＬ２と、光軸ＡＸ周辺で負の屈折力を有し物体側に凸でメニスカスの第３レンズＬ３と、光軸ＡＸ周辺で正の屈折力を有し物体側に凸でメニスカスの第４レンズＬ４と、光軸ＡＸ周辺で正の屈折力を有し両凸のメニスカスの第５レンズＬ５と、光軸ＡＸ周辺で負の屈折力を有し両凹の第６レンズＬ６とを備える。全てのレンズＬ１〜Ｌ６は、プラスチック材料から形成されている。第１レンズＬ１の物体側面上には、開口絞りＳが配置されている。なお、第６レンズＬ６の光射出面と凹の撮像面（像面）Ｉとの間には、適当な厚さの平行平板Ｆを配置することができる。
【０１１６】
図１６（Ａ）〜１６（Ｃ）は、実施例６の撮像レンズ１６の収差図（球面収差、非点収差、及び歪曲収差）を示している。
【０１１７】
（実施例７）
実施例７の撮像レンズの全体諸元を以下に示す。
f=3.82mm
fB=0.47mm
F=2.3
2Y=5.72mm
ENTP=0.3mm
EXTP=-2.32mm
H1=-1.1mm
H2=-3.35mm
【０１１８】
実施例７のレンズ面のデータを以下の表１９に示す。
〔表１９〕
面番号      R(mm)      d(mm)      Nd        νd      有効半径(mm)
1*        1.829      0.59      1.53050      55.7      0.95
2*       -2.747     -0.11                             0.84
3(STOP)  infinite    0.19                             0.81
4*       -1.524      0.27      1.63470      23.9      0.86
5*       -2.812      0.13                             0.89
6*        5.167      0.20      1.63470      23.9      0.91
7*        2.516      0.40                             1.01
8*       -6.345      0.50      1.54400      55.9      1.09
9*       -3.908      0.36                             1.21
10*       -3.440      0.65      1.54470      56.2      1.27
11*       -0.795      0.29                             1.49
12*       -3.009      0.20      1.53050      55.7      1.97
13*        0.972      0.52                             2.36
14        infinite    0.11      1.51630      64.1      2.67
15        infinite                                     2.70
【０１１９】
実施例７のレンズ面の非球面係数を以下の表２０に示す。
〔表２０〕
第1面
K=-0.10843E+02, A4=0.20125E+00, A6=-0.29533E+00, A8=0.25142E+00, 
A10=-0.10388E+00, A12=-0.25618E+00, A14=0.19428E+00
第2面
K=-0.33529E+02, A4=-0.15427E-01, A6=-0.68843E-01, A8=-0.12487E+00, 
A10=0.38551E+00, A12=-0.45274E+00, A14=0.22159E+00
第4面
K=-0.15401E+02, A4=0.63363E-01, A6=-0.99067E-01, A8=0.39611E+00, 
A10=-0.91170E+00, A12=0.12729E+01, A14=-0.62300E+00
第5面
K=-0.50000E+02, A4=-0.28717E-01, A6=0.14624E-01, A8=0.15059E+00, 
A10=-0.39154E+00, A12=0.44092E+00, A14=-0.19177E+00
第6面
K=-0.10000E+01, A4=-0.29924E+00, A6=0.67051E-01, A8=0.19809E+00, 
A10=-0.27061E+00, A12=0.58611E-01
第7面
K=0.28792E+01, A4=-0.20741E+00, A6=0.62078E-01, A8=0.11067E+00, 
A10=-0.15049E+00, A12=0.58929E-01
第8面
K=0.26891E+02, A4=-0.11984E-01, A6=0.11845E-01, A8=-0.18272E+00, 
A10=0.25820E+00, A12=-0.20069E+00, A14=0.78412E-01
第9面
K=0.48694E+01, A4=-0.47825E-01, A6=-0.14108E-01, A8=-0.15626E-01, 
A10=-0.46633E-02
第10面
K=0.61023E+01, A4=-0.76341E-01, A6=0.10724E-01, A8=-0.15220E-01, 
A10=0.43459E-02
第11面
K=-0.40698E+01, A4=-0.18933E+00, A6=0.16023E+00, A8=-0.13912E+00, 
A10=0.70011E-01, A12=-0.16408E-01, A14=0.16547E-02
第12面
K=-0.59359E+01, A4=-0.16999E-01, A6=-0.24440E-01, A8=0.10791E-01, 
A10=-0.92014E-03, A12=-0.12665E-03, A14=0.18046E-04
第13面
K=-0.96562E+01, A4=-0.62322E-01, A6=0.21081E-01, A8=-0.71915E-02, 
A10=0.14786E-02, A12=-0.16395E-03, A14=0.70185E-05
【０１２０】
実施例７の単レンズデータを以下の表２１に示す。
〔表２１〕
レンズ              始面                焦点距離(mm)
1                    1                  2.166
2                    4                 -5.704
3                    6                 -7.959
4                    8                 17.441
5                   10                  1.746
6                   12                 -1.362
【０１２１】
図１７は、実施例７の撮像レンズ１７等の断面図である。撮像レンズ１７は、光軸ＡＸ周辺で正の屈折力を有し両凸の第１レンズＬ１と、光軸ＡＸ周辺で負の屈折力を有し像側に凸でメニスカスの第２レンズＬ２と、光軸ＡＸ周辺で負の屈折力を有し物体側に凸でメニスカスの第３レンズＬ３と、光軸ＡＸ周辺で正の屈折力を有し像側に凸でメニスカスの第４レンズＬ４と、光軸ＡＸ周辺で正の屈折力を有し像側に凸でメニスカスの第５レンズＬ５と、光軸ＡＸ周辺で負の屈折力を有し両凹の第６レンズＬ６とを備える。全てのレンズＬ１〜Ｌ６は、プラスチック材料から形成されている。第１レンズＬ１と第２レンズＬ２との間には、開口絞りＳが配置されている。なお、第６レンズＬ６の光射出面と凹の撮像面（像面）Ｉとの間には、適当な厚さの平行平板Ｆを配置することができる。
【０１２２】
図１８（Ａ）〜１８（Ｃ）は、実施例７の撮像レンズ１７の収差図（球面収差、非点収差、及び歪曲収差）を示している。
【０１２３】
（実施例８）
実施例８の撮像レンズの全体諸元を以下に示す。
f=3.21mm
fB=0.3mm
F=1.92
2Y=4.5mm
ENTP=0.43mm
EXTP=-2.37mm
H1=-0.22mm
H2=-2.91mm
【０１２４】
実施例８のレンズ面のデータを以下の表２２に示す。
〔表２２〕
面番号      R(mm)      d(mm)      Nd        νd      有効半径(mm)
1*        1.577      0.55      1.54470      56.2      1.04
2*      -13.879      0.02                             0.96
3(STOP)  infinite    0.02                             0.78
4*       21.034      0.16      1.63200      23.4      0.79
5*        2.795      0.51                             0.80
6*        3.773      0.14      1.63200      23.4      0.86
7*        2.599      0.12                             1.01
8*        1.979      0.19      1.63200      23.4      1.10
9*        1.777      0.11                             1.22
10*      -16.825      0.98      1.54470      56.2      1.36
11*       -0.754      0.11                             1.42
12*        8.384      0.39      1.54470      56.2      1.63
13*        0.740      0.50                             1.97
14        infinite    0.30      1.51630      64.2      2.25
15        infinite                                     2.25
【０１２５】
実施例８のレンズ面の非球面係数を以下の表２３に示す。
〔表２３〕
第1面
K=-0.65480E+01, A4=0.18797E+00, A6=-0.19825E+00, A8=0.12299E+00, 
A10=-0.76975E-01, A12=-0.10646E+00, A14=0.84942E-01
第2面
K=-0.20000E+02, A4=-0.13587E+00, A6=0.24962E+00, A8=-0.35481E+00, 
A10=0.21461E+00, A12=-0.69539E-01, A14=0.22045E-01
第4面
K=-0.20000E+02, A4=-0.15819E+00, A6=0.49449E+00, A8=-0.39148E+00, 
A10=-0.55004E-01, A12=0.42688E+00, A14=-0.20997E+00
第5面
K=-0.20000E+02, A4=0.33518E-01, A6=0.12797E+00, A8=-0.69438E-01, 
A10=-0.72683E-01, A12=0.29022E-01
第6面
K=-0.29118E+01, A4=-0.18973E+00, A6=-0.19264E+00, A8=0.23698E-02, 
A10=-0.63692E-01, A12=-0.27203E+00
第7面
K=-0.12225E+02, A4=-0.16471E+00, A6=-0.36243E-01, A8=0.32087E-01, 
A10=-0.21981E+00, A12=0.16764E+00, A14=0.45769E-02
第8面
K=-0.20000E+02, A4=-0.28620E+00, A6=0.13065E+00, A8=-0.21024E+00, 
A10=0.29224E+00, A12=-0.11959E+00
第9面
K=-0.17667E+02, A4=-0.23304E+00, A6=0.12614E+00, A8=-0.13492E+00, 
A10=0.10658E+00, A12=-0.30093E-01
第10面
K=0.13948E+02, A4=-0.11963E+00, A6=0.21346E+00, A8=-0.19423E+00, 
A10=0.10605E+00, A12=-0.28047E-01, A14=0.27080E-02
第11面
K=-0.37872E+01, A4=-0.17696E+00, A6=0.10383E+00, A8=-0.67348E-01, 
A10=0.43415E-01, A12=-0.87258E-02
第12面
K=0.20000E+02, A4=-0.16336E+00, A6=0.32008E-01, A8=0.67650E-02, 
A10=-0.41444E-02, A12=0.11153E-02, A14=-0.15692E-03
第13面
K=-0.53403E+01, A4=-0.80977E-01, A6=0.31148E-01, A8=-0.87039E-02, 
A10=0.16222E-02, A12=-0.19461E-03, A14=0.11449E-04
【０１２６】
実施例８の単レンズデータを以下の表２４に示す。
〔表２４〕
レンズ              始面                焦点距離(mm)
1                    1                  2.634
2                    4                 -5.117
3                    6                -13.829
4                    8                -43.535
5                   10                  1.419
6                   12                 -1.517
【０１２７】
図１９は、実施例８の撮像レンズ１８等の断面図である。撮像レンズ１８は、光軸ＡＸ周辺で正の屈折力を有し両凸の第１レンズＬ１と、光軸ＡＸ周辺で負の屈折力を有し物体側に凸でメニスカスの第２レンズＬ２と、光軸ＡＸ周辺で負の屈折力を有し物体側に凸でメニスカスの第３レンズＬ３と、光軸ＡＸ周辺で弱い負の屈折力を有し物体側に凸でメニスカスの第４レンズＬ４と、光軸ＡＸ周辺で正の屈折力を有し像側に凸でメニスカスの第５レンズＬ５と、光軸ＡＸ周辺で負の屈折力を有し物体側に凸でメニスカスの第６レンズＬ６とを備える。全てのレンズＬ１〜Ｌ６は、プラスチック材料から形成されている。第１レンズＬ１と第２レンズＬ２との間には、開口絞りＳが配置されている。なお、第６レンズＬ６の光射出面と凹の撮像面（像面）Ｉとの間には、適当な厚さの平行平板Ｆを配置することができる。
【０１２８】
図２０（Ａ）〜２０（Ｃ）は、実施例８の撮像レンズ１８の収差図（球面収差、非点収差、及び歪曲収差）を示している。
【０１２９】
（実施例９）
実施例９の撮像レンズの全体諸元を以下に示す。
f=3.43mm
fB=0.32mm
F=1.95
2Y=4.5mm
ENTP=0.49mm
EXTP=-2.43mm
H1=-0.36mm
H2=-3.11mm
【０１３０】
実施例９のレンズ面のデータを以下の表２５に示す。
〔表２５〕
面番号      R(mm)      d(mm)      Nd        νd      有効半径(mm)
1*        1.621      0.61      1.54470      56.2      1.09
2*       -6.297      0.02                             0.99
3(STOP)  infinite    0.02                             0.81
4*      -22.187      0.17      1.63200      23.4      0.81
5*        2.900      0.57                             0.82
6*        4.997      0.17      1.63200      23.4      0.90
7*        3.198      0.09                             1.06
8*        1.945      0.20      1.63200      23.4      1.14
9*        1.830      0.13                             1.25
10*      -13.525      1.00      1.54470      56.2      1.36
11*       -0.798      0.11                             1.44
12*        8.753      0.40      1.54470      56.2      1.61
13*        0.770      0.50                             1.94
14        infinite    0.30      1.51630      64.2      2.25
15        infinite                                     2.25
【０１３１】
実施例９のレンズ面の非球面係数を以下の表２６に示す。
〔表２６〕
第1面
K=-0.61364E+01, A4=0.16576E+00, A6=-0.15300E+00, A8=0.95921E-01, 
A10=-0.47413E-01, A12=-0.64505E-01, A14=0.43404E-01
第2面
K=-0.20000E+02, A4=-0.60415E-01, A6=0.16281E+00, A8=-0.25413E+00, 
A10=0.14873E+00, A12=-0.38224E-01, A14=0.76000E-02
第4面
K=-0.20000E+02, A4=-0.92328E-01, A6=0.38133E+00, A8=-0.31643E+00, 
A10=-0.32405E-01, A12=0.27075E+00, A14=-0.11700E+00
第5面
K=-0.20000E+02, A4=0.18796E-01, A6=0.12668E+00, A8=-0.75766E-01, 
A10=-0.60437E-01, A12=0.35245E-01
第6面
K=0.42623E+01, A4=-0.14933E+00, A6=-0.18240E+00, A8=0.15007E-01, 
A10=0.70656E-02, A12=-0.21506E+00
第7面
K=-0.15591E+02, A4=-0.14462E+00, A6=-0.19272E-01, A8=0.28118E-01, 
A10=-0.14404E+00, A12=0.96284E-01, A14=0.37258E-03
第8面
K=-0.20000E+02, A4=-0.24122E+00, A6=0.11549E+00, A8=-0.15878E+00, 
A10=0.18479E+00, A12=-0.66535E-01
第9面
K=-0.19229E+02, A4=-0.19038E+00, A6=0.90947E-01, A8=-0.92472E-01, 
A10=0.69831E-01, A12=-0.18614E-01
第10面
K=-0.20000E+02, A4=-0.10219E+00, A6=0.16506E+00, A8=-0.13785E+00, 
A10=0.68628E-01, A12=-0.16342E-01, A14=0.13950E-02
第11面
K=-0.39704E+01, A4=-0.15560E+00, A6=0.83204E-01, A8=-0.48010E-01, 
A10=0.27826E-01, A12=-0.51069E-02
第12面
K=0.20000E+02, A4=-0.16133E+00, A6=0.30849E-01, A8=0.56904E-02, 
A10=-0.28015E-02, A12=0.58132E-03, A14=-0.76701E-04
第13面
K=-0.54644E+01, A4=-0.76469E-01, A6=0.26099E-01, A8=-0.62144E-02, 
A10=0.98682E-03, A12=-0.92800E-04, A14=0.40251E-05
【０１３２】
実施例９の単レンズデータを以下の表２７に示す。
〔表２７〕
レンズ              始面                焦点距離(mm)
1                    1                  2.434
2                    4                 -4.048
3                    6                -14.591
4                    8               -144.268
5                   10                  1.514
6                   12                 -1.578
【０１３３】
図２１は、実施例９の撮像レンズ１９等の断面図である。撮像レンズ１９は、光軸ＡＸ周辺で正の屈折力を有し両凸の第１レンズＬ１と、光軸ＡＸ周辺で負の屈折力を有し両凹の第２レンズＬ２と、光軸ＡＸ周辺で負の屈折力を有し物体側に凸でメニスカスの第３レンズＬ３と、光軸ＡＸ周辺で弱い負の屈折力を有し物体側に凸でメニスカスの第４レンズＬ４と、光軸ＡＸ周辺で正の屈折力を有し像側に凸でメニスカスの第５レンズＬ５と、光軸ＡＸ周辺で負の屈折力を有し物体側に凸でメニスカスの第６レンズＬ６とを備える。全てのレンズＬ１〜Ｌ６は、プラスチック材料から形成されている。第１レンズＬ１と第２レンズＬ２との間には、開口絞りＳが配置されている。なお、第６レンズＬ６の光射出面と凹の撮像面（像面）Ｉとの間には、適当な厚さの平行平板Ｆを配置することができる。
【０１３４】
図２２（Ａ）〜２２（Ｃ）は、実施例９の撮像レンズ１９の収差図（球面収差、非点収差、及び歪曲収差）を示している。
【０１３５】
（実施例１０）
実施例１０の撮像レンズの全体諸元を以下に示す。
f=3.22mm
fB=0.23mm
F=1.8
2Y=4.5mm
ENTP=0mm
EXTP=-1.93mm
H1=-1.57mm
H2=-2.99mm
【０１３６】
実施例１０のレンズ面のデータを以下の表２８に示す。
〔表２８〕
面番号      R(mm)      d(mm)      Nd        νd      有効半径(mm)
1(STOP)  infinite   -0.23                             0.90
2*        1.532      0.57      1.54470      56.2      0.91
3*       -3.498      0.10                             0.96
4*       -2.332      0.22      1.63200      23.4      0.98
5*     -142.857      0.17                             0.99
6*      -13.961      0.25      1.63470      23.9      0.98
7*        8.165      0.09                             0.95
8*        1.704      0.25      1.58300      30.0      1.02
9*        2.125      0.28                             1.09
10*       -4.651      0.45      1.54470      56.2      1.14
11*       -1.244      0.39                             1.27
12*       12.221      0.41      1.54470      56.2      1.58
13*        1.164      0.30                             1.95
14        infinite    0.30      1.51630      64.2      2.25
15        infinite                                     2.25
【０１３７】
実施例１０のレンズ面の非球面係数を以下の表２９に示す。
〔表２９〕
第2面
K=-0.77338E+00, A4=0.11070E-01, A6=-0.19613E-01, A8=-0.21101E-01, 
A10=0.27771E-02, A12=-0.44217E-01
第3面
K=-0.20000E+02, A4=0.36609E-01, A6=-0.46922E-01, A8=-0.49169E-02, 
A10=-0.27960E-01, A12=0.11606E-01
第4面
K=-0.19451E+02, A4=0.45238E-01, A6=0.55440E-01, A8=-0.46688E-01, 
A10=-0.14664E-01, A12=0.18589E-01
第5面
K=-0.20000E+02, A4=-0.28410E-01, A6=-0.11759E+00, A8=0.21953E+00, 
A10=-0.41939E+00, A12=0.24399E+00
第6面
K=-0.12852E+02, A4=-0.92904E-01, A6=-0.24876E+00, A8=0.94789E-01, 
A10=0.19532E+00, A12=-0.52879E-01
第7面
K=0.81810E+00, A4=-0.34712E-01, A6=-0.87003E-01, A8=0.10107E+00, 
A10=0.11487E-01, A12=0.77736E-01
第8面
K=-0.11165E+02, A4=-0.12136E+00, A6=-0.35671E-01, A8=0.19290E-01, 
A10=0.16446E-01, A12=0.20160E-01
第9面
K=-0.16689E+02, A4=-0.55305E-01, A6=-0.46896E-01, A8=0.20141E-01, 
A10=0.18181E-01, A12=-0.10107E-02
第10面
K=0.14699E+02, A4=0.81121E-01, A6=0.62454E-03, A8=0.40341E+00, 
A10=-0.10602E+01, A12=0.12151E+01, A14=-0.71051E+00, A16=0.16898E+00
第11面
K=-0.32161E+01, A4=-0.32827E-02, A6=0.21639E-01, A8=0.16266E+00, 
A10=-0.12783E+00, A12=-0.21792E-01, A14=0.34997E-01, A16=-0.58628E-02
第12面
K=0.48001E+01, A4=-0.34062E+00, A6=0.28706E+00, A8=-0.17577E+00, 
A10=0.75052E-01, A12=-0.19573E-01, A14=0.29342E-02, A16=-0.20669E-03
第13面
K=-0.59363E+01, A4=-0.17919E+00, A6=0.14209E+00, A8=-0.87262E-01, 
A10=0.34601E-01, A12=-0.86326E-02, A14=0.12231E-02, A16=-0.75164E-04
【０１３８】
実施例１０の単レンズデータを以下の表３０に示す。
〔表３０〕
レンズ              始面                焦点距離(mm)
1                    2                  2.038
2                    4                 -3.754
3                    6                 -8.082
4                    8                 12.094
5                   10                  2.978
6                   12                 -2.393
【０１３９】
図２３は、実施例１０の撮像レンズ２０等の断面図である。撮像レンズ２０は、光軸ＡＸ周辺で正の屈折力を有し両凸の第１レンズＬ１と、光軸ＡＸ周辺で負の屈折力を有し物体側に凹平に近い像側に凸の第２レンズＬ２と、光軸ＡＸ周辺で負の屈折力を有し両凹の第３レンズＬ３と、光軸ＡＸ周辺で正の屈折力を有し物体側に凸でメニスカスの第４レンズＬ４と、光軸ＡＸ周辺で正の屈折力を有し像側に凸でメニスカスの第５レンズＬ５と、光軸ＡＸ周辺で負の屈折力を有し物体側に凸でメニスカスの第６レンズＬ６とを備える。全てのレンズＬ１〜Ｌ６は、プラスチック材料から形成されている。第１レンズＬ１の物体側（第１レンズＬ１の頂点よりも像側）には、開口絞りＳが配置されている。なお、第６レンズＬ６の光射出面と凹の撮像面（像面）Ｉとの間には、適当な厚さの平行平板Ｆを配置することができる。
【０１４０】
図２４（Ａ）〜２４（Ｃ）は、実施例１０の撮像レンズ２０の収差図（球面収差、非点収差、及び歪曲収差）を示している。
【０１４１】
（実施例１１）
実施例１１の撮像レンズの全体諸元を以下に示す。
f=3.2mm
fB=0.21mm
F=2
2Y=4.5mm
ENTP=0mm
EXTP=-1.86mm
H1=-1.76mm
H2=-2.99mm
【０１４２】
実施例１１のレンズ面のデータを以下の表３１に示す。
〔表３１〕
面番号      R(mm)      d(mm)      Nd        νd      有効半径(mm)
1(STOP)  infinite   -0.23                             0.80
2*        1.329      0.54      1.54470      56.2      0.81
3*       -2.841      0.05                             0.84
4*       -2.338      0.13      1.63470      23.9      0.85
5*        4.221      0.17                             0.85
6*        3.686      0.19      1.63200      23.4      0.84
7*        4.329      0.23                             0.84
8*        2.121      0.22      1.58300      30.0      0.92
9*        2.023      0.26                             1.02
10*       -4.198      0.44      1.54470      56.2      1.11
11*       -1.240      0.41                             1.28
12*      -41.024      0.39      1.54470      56.2      1.61
13*        1.318      0.30                             1.91
14        infinite    0.25      1.51630      64.2      2.25
15        infinite                                     2.25
【０１４３】
実施例１１のレンズ面の非球面係数を以下の表３２に示す。
〔表３２〕
第2面
K=-0.66466E+00, A4=0.21319E-01, A6=-0.97783E-02, A8=-0.39375E-01, 
A10=0.61410E-01, A12=-0.16400E+00
第3面
K=-0.20000E+02, A4=0.11140E+00, A6=-0.91361E-01, A8=-0.42260E-01, 
A10=-0.46735E-01, A12=0.62160E-01
第4面
K=-0.20000E+02, A4=0.10697E+00, A6=0.20263E-01, A8=-0.90671E-01, 
A10=-0.30138E-01, A12=0.13910E+00
第5面
K=0.17176E+02, A4=-0.93700E-01, A6=-0.11286E+00, A8=0.29861E+00, 
A10=-0.74612E+00, A12=0.46684E+00
第6面
K=-0.17340E+02, A4=-0.71400E-01, A6=-0.28061E+00, A8=0.81868E-01, 
A10=0.19144E+00, A12=0.14940E-01
第7面
K=-0.33637E+01, A4=0.15250E-01, A6=-0.17823E+00, A8=0.19255E+00, 
A10=0.86890E-01, A12=0.20976E+00
第8面
K=-0.81627E+01, A4=-0.28836E+00, A6=-0.55080E-01, A8=0.75970E-01, 
A10=0.74599E-01, A12=-0.72622E-02
第9面
K=-0.10447E+02, A4=-0.18846E+00, A6=-0.11696E+00, A8=0.58391E-01, 
A10=0.70957E-01, A12=-0.17330E-01
第10面
K=0.92921E+01, A4=0.39910E-01, A6=-0.71922E-01, A8=0.66180E+00, 
A10=-0.18734E+01, A12=0.24945E+01, A14=-0.16572E+01, A16=0.43345E+00
第11面
K=-0.33903E+01, A4=-0.53250E-01, A6=0.19567E-01, A8=0.27785E+00, 
A10=-0.21819E+00, A12=-0.42738E-01, A14=0.79728E-01, A16=-0.18668E-01
第12面
K=-0.14333E+02, A4=-0.38760E+00, A6=0.40459E+00, A8=-0.27810E+00, 
A10=0.13371E+00, A12=-0.40247E-01, A14=0.68104E-02, A16=-0.50451E-03
第13面
K=-0.76719E+01, A4=-0.20810E+00, A6=0.19030E+00, A8=-0.13571E+00, 
A10=0.62534E-01, A12=-0.17794E-01, A14=0.28133E-02, A16=-0.18637E-03
【０１４４】
実施例１１の単レンズデータを以下の表３３に示す。
〔表３３〕
レンズ              始面                焦点距離(mm)
1                    2                  1.741
2                    4                 -2.352
3                    6                 35.222
4                    8               -456.970
5                   10                  3.070
6                   12                 -2.336
【０１４５】
図２５は、実施例１１の撮像レンズ２１等の断面図である。撮像レンズ２１は、光軸ＡＸ周辺で正の屈折力を有し両凸の第１レンズＬ１と、光軸ＡＸ周辺で負の屈折力を有し両凹の第２レンズＬ２と、光軸ＡＸ周辺で弱い正の屈折力を有し物体側に凸でメニスカスの第３レンズＬ３と、光軸ＡＸ周辺で弱い負の屈折力を有し物体側に凸でメニスカスの第４レンズＬ４と、光軸ＡＸ周辺で正の屈折力を有し像側に凸でメニスカスの第５レンズＬ５と、光軸ＡＸ周辺で負の屈折力を有し両凹の第６レンズＬ６とを備える。全てのレンズＬ１〜Ｌ６は、プラスチック材料から形成されている。第１レンズＬ１の物体側（第１レンズＬ１の頂点よりも像側）には、開口絞りＳが配置されている。なお、第６レンズＬ６の光射出面と凹の撮像面（像面）Ｉとの間には、適当な厚さの平行平板Ｆを配置することができる。
【０１４６】
図２６（Ａ）〜２６（Ｃ）は、実施例１１の撮像レンズ２１の収差図（球面収差、非点収差、及び歪曲収差）を示している。
【０１４７】
（実施例１２）
実施例１２の撮像レンズの全体諸元を以下に示す。
f=3.62mm
fB=0.26mm
F=1.8
2Y=4.5mm
ENTP=0mm
EXTP=-2.27mm
H1=-1.55mm
H2=-3.36mm
【０１４８】
実施例１２のレンズ面のデータを以下の表３４に示す。
〔表３４〕
面番号      R(mm)      d(mm)      Nd        νd      有効半径(mm)
1(STOP)  infinite   -0.21                             1.01
2*        1.820      0.65      1.54470      56.2      1.02
3*       -1.474      0.10                             1.08
4*       -1.305      0.15      1.63200      23.4      1.11
5*        3.357      0.15                             1.11
6*        4.153      0.25      1.63470      23.9      1.11
7*        7.345      0.05                             1.07
8*        1.287      0.25      1.54470      56.2      1.12
9*        1.724      0.51                             1.15
10*       -4.893      0.63      1.54470      56.2      1.18
11*       -1.631      0.55                             1.39
12*        5.769      0.35      1.54470      56.2      1.79
13*        1.324      0.30                             2.03
14        infinite    0.30      1.51630      64.2      2.25
15        infinite                                     2.25
【０１４９】
実施例１２のレンズ面の非球面係数を以下の表３５に示す。
〔表３５〕
第2面
K=-0.10018E+01, A4=0.26700E-02, A6=-0.22217E-01, A8=-0.95472E-02, 
A10=0.58317E-02, A12=-0.14851E-01
第3面
K=-0.19829E+02, A4=0.38675E-01, A6=-0.29117E-01, A8=-0.92684E-03, 
A10=-0.16018E-01, A12=0.20978E-02
第4面
K=-0.20000E+02, A4=0.11461E+00, A6=-0.10823E-01, A8=-0.84793E-02, 
A10=0.34256E-02, A12=-0.13415E-02
第5面
K=-0.20000E+02, A4=-0.44841E-02, A6=-0.41724E-01, A8=0.12296E+00, 
A10=-0.17734E+00, A12=0.73106E-01
第6面
K=0.10482E+02, A4=-0.69131E-01, A6=-0.14607E+00, A8=0.37240E-01, 
A10=0.69289E-01, A12=-0.22193E-01
第7面
K=0.12905E+02, A4=-0.36901E-01, A6=-0.85692E-01, A8=0.73950E-01, 
A10=0.31808E-01, A12=0.11635E-02
第8面
K=-0.90061E+01, A4=-0.12879E+00, A6=-0.51779E-02, A8=0.23634E-01, 
A10=0.64167E-02, A12=0.56630E-02
第9面
K=-0.10341E+02, A4=0.15745E-01, A6=-0.69663E-01, A8=-0.49934E-02, 
A10=0.15919E-01, A12=-0.28191E-02
第10面
K=0.14235E+02, A4=0.12781E+00, A6=-0.42956E-01, A8=0.20443E+00, 
A10=-0.45002E+00, A12=0.42562E+00, A14=-0.20611E+00, A16=0.37718E-01
第11面
K=-0.38763E+01, A4=0.47980E-01, A6=-0.41070E-02, A8=0.68265E-01, 
A10=-0.53153E-01, A12=-0.46953E-02, A14=0.10917E-01, A16=-0.17759E-02
第12面
K=-0.28289E+00, A4=-0.24290E+00, A6=0.16828E+00, A8=-0.89610E-01, 
A10=0.32144E-01, A12=-0.68418E-02, A14=0.84428E-03, A16=-0.52037E-04
第13面
K=-0.56710E+01, A4=-0.14084E+00, A6=0.91583E-01, A8=-0.47426E-01, 
A10=0.14890E-01, A12=-0.29396E-02, A14=0.35803E-03, A16=-0.21367E-04
【０１５０】
実施例１２の単レンズデータを以下の表３６に示す。
〔表３６〕
レンズ              始面                焦点距離(mm)
1                    2                  1.607
2                    4                 -1.469
3                    6                 14.612
4                    8                  7.762
5                   10                  4.206
6                   12                 -3.246
【０１５１】
図２７は、実施例１２の撮像レンズ２２等の断面図である。撮像レンズ２２は、光軸ＡＸ周辺で正の屈折力を有し両凸の第１レンズＬ１と、光軸ＡＸ周辺で負の屈折力を有し両凹の第２レンズＬ２と、光軸ＡＸ周辺で正の屈折力を有し物体側に凸でメニスカスの第３レンズＬ３と、光軸ＡＸ周辺で正の屈折力を有し物体側に凸でメニスカスの第４レンズＬ４と、光軸ＡＸ周辺で正の屈折力を有し像側に凸でメニスカスの第５レンズＬ５と、光軸ＡＸ周辺で負の屈折力を有し物体側に凸でメニスカスの第６レンズＬ６とを備える。全てのレンズＬ１〜Ｌ６は、プラスチック材料から形成されている。第１レンズＬ１の物体側（第１レンズＬ１の頂点よりも像側）には、開口絞りＳが配置されている。なお、第６レンズＬ６の光射出面と凹の撮像面（像面）Ｉとの間には、適当な厚さの平行平板Ｆを配置することができる。
【０１５２】
図２８（Ａ）〜２８（Ｃ）は、実施例１２の撮像レンズ２２の収差図（球面収差、非点収差、及び歪曲収差）を示している。
【０１５３】
（実施例１３）
実施例１３の撮像レンズの全体諸元を以下に示す。
f=3.69mm
fB=0.25mm
F=1.85
2Y=4.5mm
ENTP=0mm
EXTP=-2.28mm
H1=-1.71mm
H2=-3.44mm  
【０１５４】
実施例１３のレンズ面のデータを以下の表３７に示す。
〔表３７〕
面番号      R(mm)      d(mm)      Nd        νd      有効半径(mm)
1(STOP)  infinite   -0.22                             1.00
2*        1.823      0.65      1.54470      56.2      1.01
3*       -1.309      0.10                             1.06
4*       -1.175      0.15      1.63200      23.4      1.09
5*        3.440      0.13                             1.09
6*        4.244      0.25      1.63470      23.9      1.09
7*        5.078      0.05                             1.06
8*        1.156      0.25      1.54470      56.2      1.10
9*        1.668      0.56                             1.12
10*       -4.526      0.60      1.54470      56.2      1.16
11*       -1.676      0.58                             1.39
12*        5.891      0.35      1.54470      56.2      1.86
13*        1.368      0.30                             2.06
14        infinite    0.30      1.51630      64.2      2.25
15        infinite                                     2.25
【０１５５】
実施例１３のレンズ面の非球面係数を以下の表３８に示す。
〔表３８〕
第2面
K=-0.10357E+01, A4=0.19454E-02, A6=-0.20881E-01, A8=-0.91008E-02, 
A10=0.54110E-02, A12=-0.14346E-01
第3面
K=-0.18517E+02, A4=0.42155E-01, A6=-0.27333E-01, A8=-0.15691E-02, 
A10=-0.16069E-01, A12=0.21102E-02
第4面
K=-0.20000E+02, A4=0.11877E+00, A6=-0.10082E-01, A8=-0.13214E-01, 
A10=0.32475E-02, A12=0.34610E-03
第5面
K=-0.20000E+02, A4=-0.14848E-01, A6=-0.35750E-01, A8=0.12203E+00, 
A10=-0.17759E+00, A12=0.75335E-01
第6面
K=0.11434E+02, A4=-0.50601E-01, A6=-0.15024E+00, A8=0.37655E-01, 
A10=0.69842E-01, A12=-0.23690E-01
第7面
K=-0.47766E+00, A4=-0.44218E-01, A6=-0.81034E-01, A8=0.71550E-01, 
A10=0.29104E-01, A12=-0.70431E-04
第8面
K=-0.83898E+01, A4=-0.12446E+00, A6=-0.10099E-01, A8=0.22585E-01, 
A10=0.80835E-02, A12=0.72347E-02
第9面
K=-0.10396E+02, A4=0.28956E-01, A6=-0.61940E-01, A8=-0.45071E-02, 
A10=0.15577E-01, A12=-0.16981E-03
第10面
K=0.13285E+02, A4=0.12169E+00, A6=-0.30718E-01, A8=0.20861E+00, 
A10=-0.45126E+00, A12=0.42401E+00, A14=-0.20572E+00, A16=0.38974E-01
第11面
K=-0.33379E+01, A4=0.57771E-01, A6=-0.25625E-02, A8=0.68020E-01, 
A10=-0.53108E-01, A12=-0.48577E-02, A14=0.10848E-01, A16=-0.17925E-02
第12面
K=0.71727E+00, A4=-0.24339E+00, A6=0.17285E+00, A8=-0.89794E-01, 
A10=0.31937E-01, A12=-0.68907E-02, A14=0.83963E-03, A16=-0.46872E-04
第13面
K=-0.61005E+01, A4=-0.13807E+00, A6=0.89085E-01, A8=-0.46709E-01, 
A10=0.14882E-01, A12=-0.29590E-02, A14=0.35629E-03, A16=-0.20444E-04
【０１５６】
実施例１３の単レンズデータを以下の表３９に示す。
〔表３９〕
レンズ              始面                焦点距離(mm)
1                    2                  1.508
2                    4                 -1.369
3                    6                 36.479
4                    8                  5.892
5                   10                  4.553
6                   12                 -3.364
【０１５７】
図２９は、実施例１３の撮像レンズ２３等の断面図である。撮像レンズ２３は、光軸ＡＸ周辺で正の屈折力を有し両凸の第１レンズＬ１と、光軸ＡＸ周辺で負の屈折力を有し両凹の第２レンズＬ２と、光軸ＡＸ周辺で弱い正の屈折力を有し物体側に凸でメニスカスの第３レンズＬ３と、光軸ＡＸ周辺で正の屈折力を有し物体側に凸でメニスカスの第４レンズＬ４と、光軸ＡＸ周辺で正の屈折力を有し像側に凸でメニスカスの第５レンズＬ５と、光軸ＡＸ周辺で負の屈折力を有し物体側に凸でメニスカスの第６レンズＬ６とを備える。全てのレンズＬ１〜Ｌ６は、プラスチック材料から形成されている。第１レンズＬ１の物体側（第１レンズＬ１の頂点よりも像側）には、開口絞りＳが配置されている。なお、第６レンズＬ６の光射出面と凹の撮像面（像面）Ｉとの間には、適当な厚さの平行平板Ｆを配置することができる。
【０１５８】
図３０（Ａ）〜３０（Ｃ）は、実施例１３の撮像レンズ２３の収差図（球面収差、非点収差、及び歪曲収差）を示している。
【０１５９】
以下の表４０は、参考のため、各条件式（１）〜（９）に対応する各実施例１〜１３の値をまとめたものである。
〔表４０〕
2014115431.tif 000004
【０１６０】
以上では、実施形態や実施例に即して本発明を説明したが、本発明は、上記実施形態等に限定されるものではない。
【０１６１】
近年、撮像装置を低コストに且つ大量に実装する方法として、予め半田がポッティングされた基板に対し、ＩＣチップその他の電子部品と光学素子とを載置したままリフロー処理（加熱処理）し、半田を溶融させることにより電子部品と光学素子とを基板に同時実装するという技術が提案されている。このようなリフロー処理を用いて実装を行うためには、電子部品ととともに光学素子を約２００〜２６０℃に加熱する必要があるが、このような高温下では、熱可塑性樹脂を用いたレンズは熱変形し或いは変色して、その光学性能が低下してしまうという問題点がある。このような問題を解決するための方法のひとつとして、耐熱性能に優れたガラスモールドレンズを使用し、小型化と高温環境での光学性能とを両立する技術が提案されているが、熱可塑性樹脂を用いたレンズよりも一般にコストが高い。そこで、実施例１〜１３の撮像レンズ１１〜２３の材料にエネルギー硬化性樹脂を使用することで、ポリカーボネイト系やポリオレフィン系のような熱可塑性樹脂を用いたレンズに比べ、高温に曝されたときの光学性能の低下を小さくでき、リフロー処理に有効であり、かつガラスモールドレンズよりも製造しやすく安価となり、撮像レンズを組み込んだ撮像装置の低コストと量産性とを両立できる。なお、エネルギー硬化性樹脂とは、熱硬化性樹脂及び紫外線硬化性樹脂のいずれをも指すものとする。
【０１６２】
なお、上記実施例１〜１３は、撮像素子５１の撮像面Ｉに入射する光束の主光線入射角については、撮像面Ｉ周辺部において必ずしも十分小さい設計になっていない。しかし、最近の技術では、撮像素子５１の色フィルタやオンチップマイクロレンズアレイの配列の見直しによって、シェーディングを軽減することができるようになってきた。具体的には撮像素子５１の撮像面Ｉの画素ピッチに対し、色フィルタやオンチップマイクロレンズアレイの配列のピッチをわずかに小さく設定すれば、撮像面Ｉの周辺部にいくほど各画素に対し色フィルタやオンチップマイクロレンズアレイが撮像レンズ１０（１１〜１９）の光軸ＡＸ側へシフトするため、斜入射の光束を効率的に各画素の受光部に導くことができる。これにより撮像素子５１で発生するシェーディングを小さく抑えることができる。上記実施例１〜１３は、上述の要求が緩和された分について、より小型化を目指した設計例となっている。
【符号の説明】
【０１６３】
１１-１９…撮像レンズ、  １０…撮像レンズ、  ５０…カメラモジュール、  ５１…撮像素子、  １００…撮像装置、  ３００…携帯通信端末、ＡＸ…光軸、  Ｌ１-Ｌ５…レンズ、  ＯＰ…開口部
【図１】
2014115431.tif 000005
【図２】
2014115431.tif 000006
【図３】
2014115431.tif 000007
【図４】
2014115431.tif 000008
【図５】
2014115431.tif 000009
【図６】
2014115431.tif 000010
【図７】
2014115431.tif 000011
【図８】
2014115431.tif 000012
【図９】
2014115431.tif 000013
【図１０】
2014115431.tif 000014
【図１１】
2014115431.tif 000015
【図１２】
2014115431.tif 000016
【図１３】
2014115431.tif 000017
【図１４】
2014115431.tif 000018
【図１５】
2014115431.tif 000019
【図１６】
2014115431.tif 000020
【図１７】
2014115431.tif 000021
【図１８】
2014115431.tif 000022
【図１９】
2014115431.tif 000023
【図２０】
2014115431.tif 000024
【図２１】
2014115431.tif 000025
【図２２】
2014115431.tif 000026
【図２３】
2014115431.tif 000027
【図２４】
2014115431.tif 000028
【図２５】
2014115431.tif 000029
【図２６】
2014115431.tif 000030
【図２７】
2014115431.tif 000031
【図２８】
2014115431.tif 000032
【図２９】
2014115431.tif 000033
【図３０】
2014115431.tif 000034